(57)【要約】      （修正有）【課題】ラップトップ等のコンピューティングデバイスを開く際に、蓋と基部との間の磁力に打ち勝つべく力を加える必要のないコンピューティングデバイスにおける磁力の調整方法を提供する。【解決手段】第２の磁気素子１０４は、北（「プラス」の符号で示される）がコンポーネント１０８Ｄにおいて外側へと向くように中心軸の周囲で９０°回転されている。磁気素子１０４を９０°回転することにより、第１の磁気素子１０２と第２の磁気素子１０４との間の力は、コンポーネント１０６Ｄとコンポーネント１０８Ｄとの間で低減され、または除去される。従ってユーザは、コンピューティングデバイスコンポーネント１０６Ｄをコンピューティングデバイスコンポーネント１０８Ｄからより容易に離して移動することができる。【選択図】図２
2018142328.tif 000002
【特許請求の範囲】
【請求項１】
調整可能な磁気連結のための装置であって、
磁力によりコンピューティングデバイスの第２のコンポーネントにおける第２の磁気素子に連結される、前記コンピューティングデバイスの第１のコンポーネントにおける取り付け面の第１の磁気素子と、
磁気取り付け力を調整する調整機構とを備え、
前記第１の磁気素子は、前記第１のコンポーネントにおける磁気の不良位置合わせの力を無効にするべく複数の反対方向に機構を介して移動する複数の磁気コンポーネントを有する、装置。
【請求項２】
前記装置の前記第１の磁気素子は、磁石を有し、
前記調整機構は、前記第２の磁気素子に対して前記第１の磁気素子を変位させることにより前記磁力を調整する機械コンポーネントを有する、請求項１に記載の装置。
【請求項３】
上部に前記第１の磁気素子を配置したキャリッジに連結されるコンピューティングデバイスの前記第１のコンポーネント内にロッドを更に備え、
前記機械コンポーネントは、前記ロッドの面取りエッジにおいて受けられる面取りエッジを含み、
前記第１の磁気素子は、前記ロッドの前記面取りエッジへと摺動する前記面取りエッジの力により前記第２の磁気素子に対して変位される、請求項２に記載の装置。
【請求項４】
前記機械コンポーネントは、磁界引力に沿わない方向を通って前記第２の磁気素子に対して前記第１の磁気素子を変位することにより前記磁力を調整するべく係合されるリニアアクチュエータを含む、請求項２に記載の装置。
【請求項５】
前記機械コンポーネントは、磁界引力に沿わない方向を通って前記第２の磁気素子に対して前記第１の磁気素子を変位させることにより前記磁気取り付け力を調整するべく係合される手動調整ノブを含む、請求項２に記載の装置。
【請求項６】
前記機械コンポーネントを移動させるモータを更に備える、請求項２に記載の装置。
【請求項７】
前記機械コンポーネントは、前記第２の磁気素子から前記第１の磁気素子を前記磁力と平行に変位させる形状記憶合金アクチュエータを含む、請求項２に記載の装置。
【請求項８】
前記機械コンポーネントは、前記第１の磁気素子に接続されたロッドを含み、
前記ロッドは、前記第１の磁気素子の極性の向きにより、前記第２の磁気素子に対して前記磁力を調整するべく回転される、請求項２に記載の装置。
【請求項９】
前記第２の磁気素子は、電磁石を含み、
前記調整機構は、前記磁気取り付け力を一時的に低減し、または逆にするべく、前記電磁石に電力供給する、請求項１に記載の装置。
【請求項１０】
磁気連結のためのヒンジであって、
前記ヒンジの中心点の周囲に半径方向に配置された複数の磁気素子を備え、
前記ヒンジは、コンピューティングデバイスの第１のコンポーネントに内蔵され、
前記複数の磁気素子は、前記複数の磁気素子のサブセットと前記コンピューティングデバイスの第２のコンポーネントの磁気素子との間の磁力により、前記コンピューティングデバイスの前記第２のコンポーネントに対する第１の磁気素子の複数の角度間隔位置における引っ張り状態に前記第１のコンポーネントを保持し、
前記ヒンジの前記複数の磁気素子は、第１の複数の磁気素子であり、
前記第２のコンポーネントの前記磁気素子は、前記第２のコンポーネントの第１の磁気素子であり、
前記第１のコンポーネントを前記第２のコンポーネントに取り付ける第２の複数の磁気素子を更に備え、
前記第２の複数の磁気素子は、各々、前記コンピューティングデバイスの前記第２のコンポーネントの第２の磁気素子に対して反対の極性を有し、
前記第１のコンポーネントの前記第２の複数の磁気素子と前記第２のコンポーネントの前記第２の磁気素子との間の磁力は、電磁または電気機械調整機構により取り外しのために低減される、ヒンジ。
【請求項１１】
磁気連結のためのヒンジであって、
前記ヒンジの中心点の周囲に半径方向に配置された複数の磁気素子を備え、
前記ヒンジは、コンピューティングデバイスの第１のコンポーネントに内蔵され、
前記複数の磁気素子は、前記複数の磁気素子のサブセットと前記コンピューティングデバイスの第２のコンポーネントの磁気素子との間の磁力により、前記コンピューティングデバイスの前記第２のコンポーネントに対する第１の磁気素子の複数の角度間隔位置における引っ張り状態に前記第１のコンポーネントを保持し、
前記コンピューティングデバイスの前記第１のコンポーネントおよび前記第２のコンポーネントは、複数の離散角度で前記ヒンジの前記複数の磁気素子と前記第２のコンポーネントの前記磁気素子との間の複数の磁力により保持され、
前記複数の磁力は、電気機械または電磁調整機構によりカスタマイズ可能である、ヒンジ。
【請求項１２】
磁気連結のためのヒンジであって、
前記ヒンジの中心点の周囲に半径方向に配置された複数の磁気素子を備え、
前記ヒンジは、コンピューティングデバイスの第１のコンポーネントに内蔵され、
前記複数の磁気素子は、前記複数の磁気素子のサブセットと前記コンピューティングデバイスの第２のコンポーネントの磁気素子との間の磁力により、前記コンピューティングデバイスの前記第２のコンポーネントに対する第１の磁気素子の複数の角度間隔位置における引っ張り状態に前記第１のコンポーネントを保持し、
前記ヒンジは、バレルを備え、
前記複数の磁気素子は、前記バレルに取り付けられ、
前記バレルは、取り外し可能なロッドにより前記第２のコンポーネントの１または複数のループに接続される、ヒンジ。
【請求項１３】
前記ヒンジの前記複数の磁気素子は、前記ヒンジの長さに沿った異なる複数の地点に配置される、請求項１０〜１２のいずれか１項に記載のヒンジ。
【請求項１４】
前記ヒンジの前記複数の磁気素子は、前記ヒンジの複数の端部に複数の角度間隔で配置される、請求項１０〜１２のいずれか１項に記載のヒンジ。
【請求項１５】
無線技術が収納され得る前記ヒンジ内の空間を更に備え、
前記第１のコンポーネントおよび前記第２のコンポーネントは、無線通信可能に連結される、請求項１０〜１４のいずれか１項に記載のヒンジ。
【請求項１６】
前記ヒンジは、スパインを備え、
前記複数の磁気素子は、前記スパインに取り付けられる、請求項１０または１１に記載のヒンジ。
【請求項１７】
前記コンピューティングデバイスの前記第２のコンポーネントにおける前記磁気素子は、金属ストリップを含む、請求項１０〜１６のいずれか１項に記載のヒンジ。
【請求項１８】
複数の磁気引っ張り力を調整するための方法であって、
ユーザが第１の磁気素子を含む第１のコンピューティングデバイスコンポーネントを、第２の磁気素子を含む第２のコンピューティングデバイスコンポーネントから取り外すことを意図する確率が高いことを検出する段階と、
前記第１のコンピューティングデバイスコンポーネントの前記第１の磁気素子と前記第２のコンピューティングデバイスコンポーネントの前記第２の磁気素子との間の磁力を自動的に取り外し力まで低減する段階と、
複数の失敗した取り外しの試みを検出する段階と、
磁気取り外し力を自動的に弱くする段階とを備え、
前記第１の磁気素子は、前記磁力により前記第２の磁気素子に対する引っ張り状態に保持される、方法。
【請求項１９】
ユーザが前記第１のコンピューティングデバイスコンポーネントを前記第２のコンピューティングデバイスコンポーネントに取り付けることを意図する確率が高いことを検出する段階と、
前記第１の磁気素子と前記第２の磁気素子との間の前記磁力を自動的に取り付け力まで増大させる段階とを更に備える、請求項１８に記載の方法。
【請求項２０】
早期の取り外しまたは緊急事態を検出する段階と、
前記取り付け力を自動的に増大させる段階とを更に備える、請求項１９に記載の方法。
【請求項２１】
前記取り外し力および前記取り付け力は、ユーザによりプログラム可能である、請求項１９または２０に記載の方法。
【請求項２２】
前記取り外し力および前記取り付け力は、ユーザの複数の嗜好性に自動的に適合する、請求項１９〜２１のいずれか１項に記載の方法。
【請求項２３】
複数の磁気連結力を調整するためのシステムであって、
コンピューティングデバイスの第１のコンポーネントにおける第１の磁気素子と、
前記コンピューティングデバイスの第２のコンポーネントにおける第２の磁気素子と、
前記第１の磁気素子および前記第２の磁気素子を分離するのに必要とされる力を調整する調整機構とを備え、
前記第１のコンポーネントおよび前記第２のコンポーネントは、磁力により引っ張り状態に保持され、
前記コンピューティングデバイスの前記第１のコンポーネントは、軸を更に含み、前記第１の磁気素子は、前記軸の周囲を揺動し、
前記コンピューティングデバイスの前記第２のコンポーネントは、少なくとも２つのローラを含み、
前記コンピューティングデバイスの前記第１のコンポーネントの磁気側は、前記少なくとも２つのローラ上で回転し得る、システム。
【請求項２４】
前記調整機構を制御するハードウェアロジックを少なくとも部分的に有するロジックを更に備える、請求項２３に記載のシステム。
【請求項２５】
前記調整機構は、電磁石を有し、
前記電磁石は、取り外しのために前記コンピューティングデバイスの前記第１のコンポーネントと前記コンピューティングデバイスの前記第２のコンポーネントとの間の前記磁力を一時的に低減する、請求項２３または２４に記載のシステム。
【請求項２６】
前記調整機構は、前記第１のコンポーネントと前記第２のコンポーネントとの間の前記磁力を調整するべく、前記第１のコンポーネントにおける前記第１の磁気素子を平行移動させるリニアアクチュエータを有する、請求項２３または２４に記載のシステム。
【請求項２７】
前記調整機構は、グラフィカルユーザインタフェース（ＧＵＩ）スイッチにより制御される、請求項２３または２４に記載のシステム。
【請求項２８】
前記調整機構は、磁力の複数の構成可能な状態の間で自動的に切り替わる、請求項２３または２４に記載のシステム。
【請求項２９】
前記第１のコンポーネントおよび前記第２のコンポーネントのうちの一方は、タブレットであり、
他方のコンポーネントは、前記コンピューティングデバイスの基部であり、
前記タブレットは、前記第１の磁気素子および前記第２の磁気素子により前記基部に対する磁気引っ張り状態に保持され、
前記タブレットは、前記基部に対して少なくとも１２０°まで曲げられ得る、請求項２３または２４に記載のシステム。
【請求項３０】
前記第１の磁気素子は、永久磁石であり、
前記第２の磁気素子は、「Ｕ」字形状に形成された電磁石である、請求項２５に記載のシステム。
【請求項３１】
複数の磁気素子を変位させるための装置であって、
コンピューティングデバイスの第１の磁気素子と第２の磁気素子との間に適用される力を加えるための前記コンピューティングデバイスの変位機構を備え、
前記第１の磁気素子は、前記第１の磁気素子と前記第２の磁気素子との間の磁力により前記第２の磁気素子に対する引っ張り状態に保持され、
前記第１の磁気素子は、磁気の不良位置合わせの力を無効にするべく複数の反対方向に機構を介して移動する複数の磁気コンポーネントを有する、装置。
【請求項３２】
前記第１の磁気素子を収納する前記コンピューティングデバイスの第１のコンポーネントと、
前記第２の磁気素子を収納する前記コンピューティングデバイスの第２のコンポーネントとを備え、
前記第１の磁気素子および前記第２の磁気素子は、前記磁力により引っ張り状態に保持され、前記変位機構により加えられる前記力により分離可能である、請求項３１に記載の装置。
【請求項３３】
前記第１のコンポーネントおよび前記第２のコンポーネントのうちの一方は、蓋であり、
他方のコンポーネントは、前記コンピューティングデバイスの基部である、請求項３２に記載の装置。
【請求項３４】
前記変位機構は、前記力をもたらすべく摺動可能に係合されるボタンである、請求項３１〜３３のいずれか１項に記載の装置。
【請求項３５】
前記第１の磁気素子および前記第２の磁気素子のうちの一方は、磁石であり、
他方の磁気素子は、強磁性材料またはフェリ磁性材料で構成されるが、磁石ではない、請求項３１〜３４のいずれか１項に記載の装置。
【請求項３６】
前記第１の磁気素子および前記第２の磁気素子の双方は、磁石である、請求項３１〜３５のいずれか１項に記載の装置。
【請求項３７】
適用される前記力は、前記磁力に対して垂直であり、前記磁力よりも小さい、請求項３１に記載の装置。
【請求項３８】
複数の磁気素子を分離するためのシステムであって、
コンピューティングデバイスの第１の磁気コンポーネントにおける第１の磁気素子と、
前記コンピューティングデバイスの第２の磁気コンポーネントにおける第２の磁気素子と、
いずれかの磁気素子に適用される力を加えて前記第１の磁気素子および前記第２の磁気素子を分離する前記コンピューティングデバイスの変位機構とを備え、
前記第１の磁気コンポーネントおよび前記第２の磁気コンポーネントは、磁力により引っ張り状態に保持され、
前記コンピューティングデバイスの前記第１の磁気コンポーネントは、軸を更に含み、前記第１の磁気素子は、前記軸の周囲を自由に揺動し、
前記コンピューティングデバイスの前記第２の磁気コンポーネントは、少なくとも２つのローラを含み、
前記コンピューティングデバイスの前記第１の磁気コンポーネントの磁気側は、前記少なくとも２つのローラ上で回転し得る、システム。
【請求項３９】
前記変位機構は、前記力を加えるべく摺動可能に係合される前記コンピューティングデバイスのボタンである、請求項３８に記載のシステム。
【請求項４０】
前記第１の磁気素子および前記第２の磁気素子のうちの一方は、磁石であり、
他方の磁気素子は、強磁性材料またはフェリ磁性材料で構成されるが、磁石ではない、請求項３８または３９に記載のシステム。
【請求項４１】
前記第１の磁気素子および前記第２の磁気素子の双方は、磁石である、請求項３８または３９に記載のシステム。
【請求項４２】
前記力は、前記磁力に対して垂直であり、前記磁力よりも小さい、請求項３８〜４１のいずれか１項に記載のシステム。
【請求項４３】
前記第１の磁気コンポーネントおよび前記第２の磁気コンポーネントのうちの一方は、蓋であり、
他方のコンポーネントは、前記コンピューティングデバイスの基部である、請求項３８〜４２のいずれか１項に記載のシステム。
【請求項４４】
調整可能な磁気連結のための装置であって、
磁気取り付け力により、コンピューティングデバイスの第１のコンポーネントを前記コンピューティングデバイスの第２のコンポーネントに磁気的に連結するための手段と、
前記磁気取り付け力を調整するための手段と、
前記第１のコンポーネントにおける複数の磁気の不良位置合わせの力を無効にするための手段とを備える、装置。
【請求項４５】
斥力を生成するための手段を更に備える、請求項４４に記載の装置。
【請求項４６】
磁気連結のためのヒンジであって、
磁力により、複数の角度間隔位置でコンピューティングデバイスの第１のコンポーネントを前記コンピューティングデバイスの第２のコンポーネントに対して保持するための手段と、
取り外しのために前記磁力を低減するための手段とを備える、ヒンジ。
【請求項４７】
磁気連結のためのヒンジであって、
磁力により、複数の角度間隔位置でコンピューティングデバイスの第１のコンポーネントを前記コンピューティングデバイスの第２のコンポーネントに対して保持するための手段と、
前記第１のコンポーネントと前記第２のコンポーネントとの間の前記磁力をカスタマイズするための手段とを備える、ヒンジ。
【請求項４８】
前記第１のコンポーネントを前記第２のコンポーネントに磁気的に取り付けるための手段を更に備える、請求項４６または４７に記載のヒンジ。
【請求項４９】
前記第１のコンポーネントおよび前記第２のコンポーネントを無線通信可能に連結するための手段を更に備える、請求項４６〜４８のいずれか１項に記載のヒンジ。
【請求項５０】
実行されると、コンピュータに、
ユーザが第１の磁気素子を含む第１のコンピューティングデバイスコンポーネントを、第２の磁気素子を含む第２のコンピューティングデバイスコンポーネントから取り外すことを意図する確率が高いことを検出する手順と、
コンピューティングデバイスの前記第１の磁気素子と前記第２の磁気素子との間の磁力を自動的に取り外し力まで低減する手順と、
複数の失敗した取り外しの試みを検出する手順と、
磁気取り外し力を自動的に弱くする手順とを実行させ、
前記第１の磁気素子は、前記第１の磁気素子と前記第２の磁気素子との間の磁力により前記第２の磁気素子に対する引っ張り状態に保持される、コンピュータプログラム。
【請求項５１】
前記コンピュータに更に、
ユーザが前記第１のコンピューティングデバイスコンポーネントを前記第２のコンピューティングデバイスコンポーネントに取り付けることを意図する確率が高いことを検出する手順と、
前記第１の磁気素子と前記第２の磁気素子との間の前記磁力を自動的に取り付け力まで増大させる手順とを実行させる、請求項５０に記載のコンピュータプログラム。
【請求項５２】
前記コンピュータに更に、
早期の取り外しまたは緊急事態を検出する手順と、
前記取り付け力を自動的に増大させる手順とを実行させる、請求項５１に記載のコンピュータプログラム。
【請求項５３】
請求項５０〜５２のいずれか１項に記載のコンピュータプログラムを格納する、コンピュータ可読記録媒体。
【発明の詳細な説明】
【技術分野】
【０００１】
［関連出願の相互参照］
本願は、２０１４年３月２８日に出願された「ＡＤＪＵＳＴＭＥＮＴ  ＯＦ  ＭＡＧＮＥＴＩＣ  ＦＯＲＣＥ  ＩＮ  Ａ  ＣＯＭＰＵＴＩＮＧ  ＤＥＶＩＣＥ」という名称の米国特許出願第１４／２２９，８２８号に対する優先権を主張する。
【０００２】
本開示は、概ね磁気引っ張り力コンポーネントおよび磁力調整機構に関する。より詳細には、本開示は、２つの磁気コンポーネント間の力を変更し、それにより２つの磁気コンポーネントを互いに対して移動し、または完全に分離するのに必要とされる力を変更する機械的力機構または電磁機構により調整され得る磁力により互いに保持されるコンピューティングデバイスの磁性コンポーネントを説明する。
【背景技術】
【０００３】
コンピューティングデバイスは、ヒンジ等、動くように構成されたコンポーネントを含む。多くのラップトップのヒンジは、コンポーネントを特定の角度で定位置に保持するヒンジにおける摩擦に左右される。例えばユーザは、摩擦力に手動で打ち勝ってヒンジの周囲でスクリーンを回転させることにより、ラップトップスクリーンの角度をそのキーボードに対して手動で調整し得る。更に、磁石はコンピューティングデバイスの２つのコンポーネントを互いに保持するべく用いられ得る。例えば、タブレットは磁気連結によりキーボードに接続され得る。ユーザは、磁力に打ち勝つのに十分な力を加えて、タブレットをキーボードから取り外さなければならない。
【０００４】
更に、コンピューティングデバイスは、基部に対して閉じられる蓋等のコンポーネントを閉じるラッチ機構のようなコンポーネントを含む。いくつかのラップトップコンピュータは、蓋が閉位置にあるときに蓋および基部を接触した状態に保持する機構を含む。例えば、ラップトップの蓋は、ボタンおよびフック装置によりラップトップの基部に対して閉じられ得る。フックは、蓋または基部のいずれかに配置され、蓋を閉位置にあるラップトップに固定し、ボタンは、蓋または基部のいずれかに配置され、ユーザがフックを解放してラップトップを開くことを可能にする。別の例として、いくつかのラップトップは、蓋に磁石、基部、またはその双方を含み得、磁力は、蓋を基部に対して閉じられた状態に保持する。ユーザは、ラップトップを開くには蓋と基部との間の磁力に打ち勝つべく力を加えなければならない。
【図面の簡単な説明】
【０００５】
【図１】せん断動作により物理的に分離されるコンピューティングデバイスの複数の磁気素子を図示するブロック図である。
【０００６】
【図２】複数の磁気極性の操作により低減され、および／または逆にされる、コンピューティングデバイスの２つの磁気素子間の磁力を図示するブロック図である。
【０００７】
【図３】物理的に斥けられて２つの磁気コンポーネント間の引力を変更するコンピューティングデバイスの複数の磁気素子を図示するブロック図である。
【０００８】
【図４Ａ】電磁力により分離されるコンピューティングデバイスの複数の磁気素子を図示するブロック図である。
【０００９】
【図４Ｂ】電磁力により分離されるコンピューティングデバイスの複数の磁気素子の例を図示するブロック図である。
【００１０】
【図５Ａ】タブレットコンポーネントが取り付けられ、または取り外され得る取り付け面をタブレットコンポーネントおよびキーボードコンポーネントが有する、例示的なコンピューティングデバイスである。
【００１１】
【図５Ｂ】タブレットコンポーネントがキーボードコンポーネントの取り付け面に磁気的に取り付けられる、例示的なコンピューティングデバイスの側面斜視断面図である。
【００１２】
【図６Ａ】複数の磁気素子の吸引力を操作する機械的機構を用いる、複数の例示的な磁石取り付け機構の断面の正面斜視図のセットである。
【００１３】
【図６Ｂ】複数の磁気素子の吸引力を操作するノブを用いる、例示的な磁石取り付け機構の断面の正面斜視図である。
【００１４】
【図７Ａ】複数の磁気素子を分離するリニアアクチュエータおよび面取りエッジ機構を用いる、例示的な磁石取り付け機構の断面の正面斜視図のセットである。
【００１５】
【図７Ｂ】不良位置合わせを阻止するラックおよびピニオンを用いる、例示的な磁石取り付け機構の断面の正面斜視図のセットである。
【００１６】
【図７Ｃ】複数の磁気素子を変位させるクランクシャフトを用いる、例示的な磁石取り付け機構の断面の側面図のセットである。
【００１７】
【図８Ａ】９０、１８０、および２０５°の位置における例示的な無摩擦バレルヒンジである。
【００１８】
【図８Ｂ】無摩擦回転のための例示的なバレルヒンジである。
【００１９】
【図８Ｃ】複数の磁気素子を有するスパインを用いる、タブレットの無摩擦回転および取り外しのための例示的な磁石取り付け機構である。
【００２０】
【図８Ｄ】複数の磁気素子を有するタブレットの無摩擦回転のための例示的なヒンジのない取り付けおよび取り外し機構である。
【００２１】
【図８Ｅ】複数の磁気素子を有するタブレットの無摩擦回転のためのヒンジのない取り付けおよび取り外し機構において用いる例示的な金属ストリップである。
【００２２】
【図９】複数の磁気素子に適用される摺動変位機構を有する例示的なコンピューティングデバイスの側面斜視図である。
【００２３】
【図１０】コンピューティングデバイスの蓋を開けるべく複数の磁気素子に適用される摺動変位機構を有する例示的なコンピューティングデバイスの側面斜視図である。
【００２４】
【図１１】コンピューティングデバイスの蓋を開けるべく複数の磁気素子に適用される例示的な摺動変位機構の断面の側面斜視図である。
【００２５】
【図１２】コンピューティングデバイスの変位機構を形成する方法を図示するブロック図である。
【００２６】
【図１３】磁力を調整するコンピューティングデバイスのコンポーネントのブロック図である。
【００２７】
【図１４】磁力を調整するコードを格納する有形機械可読媒体を示すブロック図である。
【００２８】
【図１５】コンピューティングデバイスにおいて磁力を自動的に調整する方法を図示するブロック図である。
【００２９】
同一のコンポーネントおよび機能を参照するべく、本開示および図面を通して同一の番号が用いられる。１００の連番は、最初に図１に見られる機能を指し、２００の連番は図２に最初に見られる機能を指す、等である。
【発明を実施するための形態】
【００３０】
本明細書において開示される主題は、複数の磁性コンポーネントを分離または取り付けるときに役立つ調整機構を有する、磁気引っ張り力機構を形成する複数の技術に関する。複数のコンピューティングデバイスは、ラップトップの蓋またはタブレットのキーボード／カバーのようなコンピューティングデバイスの移動可能な複数のコンポーネントを固定するラッチ、フック、および磁石を使用し得る。例えばラップトップは、ラップトップの基部における磁性コンポーネントに磁気的に連結されるように構成されるラップトップの蓋に磁性コンポーネントを含み得る。分離機構は、磁性コンポーネントが互いに物理的に分離するように複数の磁性コンポーネントを変更または再構成し得る。蓋および基部における複数の磁性コンポーネントに関連する磁力に対して、基部から蓋等の複数のコンピューティングコンポーネントを引き離して開けるようにユーザに要求するのではなく、本明細書に説明される複数の技術は、複数の磁性コンポーネントを横方向に動かして磁石を物理的に分離し、磁性コンポーネント間に加えられる磁力を低減する力またはコンポーネントをもたらすことを含む。
【００３１】
複数のコンピューティングデバイスは、複数の摩擦ヒンジも使用して、コンピューティングデバイスの回転可能な複数のコンポーネントが、ラップトップのディスプレイ等の定位置に保持されることを可能にし得る。調整機構は、移動可能または回転可能な複数のコンピュータコンポーネント内における２またはそれより多くの磁気素子間の磁力を調整するようにも用いられ得る。機械調整機構は、コンピューティングデバイスの磁気素子に力を適用して、複数の磁気素子により固定可能なコンピューティングデバイスコンポーネントの解放を容易にし得る。機械調整機構は、複数の磁気素子に回転力を適用して磁力を低減し、または逆にし得る。更に機械調整機構は、２つの磁気素子の分離において役立つように、磁力と平行な複数の磁気素子に力を適用し得る。いくつかの態様において、電磁調整機構は、２つの磁気素子間の力を低減し、または逆にする磁界を生成し得る。
【００３２】
更にコンバーチブルコンピューティングデバイスをもたらすことにより、最適な取り付けおよび取り外し機構、ならびに関連する力に関する機械工学上の様々な問題をもたらしている。コンバーチブルコンピューティングデバイスは、ユーザにより接合または分離され得る２またはそれより多い部品を含む。多種多様な設計が現在、市場に存在する。例えば、機械的に固定される複数の設計を有するキーボードへのタブレット取り付けおよびタブレットカバーの取り付けが存在する。取り付けおよび取り外しの機構および力は、変化しなかったり、変化可能でなかったりする。しかし、複数の研究は、ユーザが取り付け力および取り外し力について異なる複数の嗜好性を有し、取り付けおよび取り外しの容易さが取り外し可能なデバイスに対するユーザの認識および体験において大きな役割を果たしていることを示している。本明細書において説明される複数の実施形態は、ユーザが様々なやり方で取り付け力および取り外し力を構成して具体的なユーザの嗜好性を満足させることを可能にする。いくつかの例において、複数の調整機構は、コンピューティングデバイスなおのロジックにより自動的に制御され得る。
【００３３】
更に、ラップトップ、ツーインワンの取り外し可能なラップトップ、およびコンバーチブル型コンピュータは通常、摩擦ベースのトルクを組み合わせて、ユーザにディスプレイスクリーンの複数の角度を調整および設定する機能を提供する複数のヒンジを用いる。しかし、これらの摩擦ベースのヒンジは、進行する摩耗、寸法における非効率性、カスタマイズ性の欠如に関して弱点および限界を有する。なぜならば、トルクの変動性が設定されて調整不可能であり、無線整合およびレンズ整合による複数の無線技術の通信のための適切な接触を可能にしないからである。本明細書における複数の実施形態は、ラップトップ、取り外し可能物、および／または基部を含むがこれらに限定されない複数のデバイスにおけるスクリーンの角度を調整する複数の間隔の回転および設定を可能にするべく、回転軸における磁気引力を用いるコンパクトで堅牢な無摩擦ヒンジも提供し、コンパクトで堅牢であるが、単純な解決法を用いてスクリーン調整を実現する。
【００３４】
最終的に、複数の取り外し可能ヒンジ機構は、多くの場合に製品の工業設計に影響する蓋および基部を安全に取り付ける複数の突出機能を必要とする。複数の磁石を用いることにより、工業設計にあまり影響を与えずに蓋および基部が接続されることを可能にする。磁性コンポーネントは、必要とされるコネクタ嵌合力に打ち勝つのにも役立ち得る。しかし、取り外し可能なものに複数の磁性コンポーネントを用いることにはいくつかの問題がある。１つの問題は、蓋と基部との間の完全な接続に必要とされる力は、ユーザが２つのコンポーネントを取り外すことを難しくするということである。現行の磁気により取り外し可能な製品において、コンポーネントを取り外すには、両手で引き離す動作が必要とされる。また、現行の磁気による複数の解決法は、１２０Ｑのスクリーンの明瞭度を可能にしない。ユーザの嗜好性に関する複数の研究において、１２０Ｑは、ラップトップディスプレイを表示するユーザの嗜好性の範囲内である。また、スクリーンの明瞭度を可能にする磁気連結力が向上すると、必要とされる磁力は、人が打ち勝つには大き過ぎる場合があり、安全でない可能性がある。本明細書の複数の実施形態は、機能的な動作およびユーザの安全の双方に必要とされる複数の可変磁気状態を可能にする。
【００３５】
本明細書において言及される「磁性コンポーネント」は、強磁性またはフェリ磁性の材料から作製される物体を含み得る。いくつかの実施形態において、磁性コンポーネントは磁石であり、磁性コンポーネントは磁化され、実質的に永続的な磁界を加え得る。以下により詳細に検討されるように、複数の他の実施形態において、複数の磁性コンポーネントのうちの１つは、磁化されない棒鋼等、強磁性コンポーネントまたはフェリ磁性コンポーネントであり得るが、磁石ではなく、他方で他の磁性コンポーネントは、強磁性コンポーネントまたはフェリ磁性コンポーネントを吸引するように構成された磁石である。
【００３６】
図１は、せん断動作により物理的に分離されるコンピューティングデバイスの複数の磁気素子を図示するブロック図である。コンピューティングデバイスは、第１の磁気素子１０２および第２の磁気素子１０４を含み得る。図１は２つのコンポーネントのペアを含み、各々は、第１の磁気素子１０２および第２の磁気素子１０４を有する。第１のペアはコンポーネント１０６Ａおよびコンポーネント１０８Ａを含み、第２のペアはコンポーネント１０６Ｂおよびコンポーネント１０８Ｂを含む。第１のペアと第２のペアとの間の移行は、矢印１１６により示される。図１に図示されるように、第１の磁気素子１０２は、コンピューティングデバイスの第１のコンポーネント１０６Ａ、１０６Ｂと統合され得、第２の磁気素子１０４は、コンピューティングデバイスの第２のコンポーネント１０８Ａ、１０６Ｂと統合され得る。いくつかの場合に第１のコンポーネント１０６Ａ、１０６Ｂは、ラップトップコンピュータの蓋であり得、第２のコンポーネント１０８Ａ、１０８Ｂは、ラップトップコンピュータの基部であり得る。他の場合に、第１のコンポーネント１０６Ａ、１０６Ｂはタブレットコンピュータであってもよく、第２のコンポーネント１０８Ａ、１０８Ｂは、キーボード、カバー、またはスタンドであってもよい。
【００３７】
矢印１１０により示されるように、第１のコンピューティングデバイスコンポーネント１０６Ａおよび第２のコンピューティングデバイスコンポーネント１０８Ｂが極めて近くにある場合、第１の磁気素子１０２と第２の磁気素子１０４との間に磁力が存在することがある。磁気素子１０２および１０４の一方または双方は、矢印１１２および１１４により示される変位により物理的に変位され得る。図１に図示されるように、変位１１２、１１４は、第１の磁気素子１０２、第２の磁気素子１０４、または第１および第２の磁気素子１０２、１０４の双方のいずれかに適用される横方向の力により生成され得る。変位１１２、１１４は、磁力１１０に対して垂直であり、磁力１１０よりも小さい場合がある。従ってユーザは、磁力１１０に等しく、かつその反対方向の力を適用することなく、磁力に打ち勝つことができ得る。
【００３８】
矢印１１６により示されるように、第１の磁気素子１０２、第２の磁気素子１０４、または第１および第２の磁気素子１０２、１０４の双方のいずれかが変位（１１２、１１４、または１１２および１１４の双方）により横方向に移動される場合、磁力１１０は低減され、または除去される。磁力１１０が低減または除去されると、第１のコンポーネント１０６Ｂが蓋であり、第２のコンポーネント１０８Ｂがコンピューティングデバイスの基部であるような場合に、第１のコンポーネント１０６Ｂは、第２のコンポーネント１０８Ｂに対して移動し得る。いくつかの例において、第１のコンポーネント１０６Ｂは、コンピューティングデバイスの基部コンポーネント１０８Ｂから取り外されるコンポーネントであってもよい。
【００３９】
一実施形態において変位機構は、画定された軌道に沿って磁気素子を操作するスライダであってもよい。いくつかの実施形態において、複数の磁気素子の双方が磁石である。しかし、他の実施形態において、複数の磁気素子のうちの１つが磁石であるが、他の磁気素子は、フェリ磁性材料、または鋼等の強磁性材料であるが、磁石ではない。なおも別の実施形態において、磁気素子１０２、１０４の双方が磁石であり、磁気素子１０２、１０４のうちの１または複数は、金属補強板を含み得る。いくつかの実施形態において、金属補強板は、他の実施形態に対して複数の磁気コンポーネント間の磁力を増大させ得る。
【００４０】
変位機構を用いることにより、２つの磁気素子１０２、１０４を分離するのに必要とされるエネルギーを低くし得る。まず、複数の磁気素子を直接に引き離す斥力を用いるのではなく、磁気素子を分離する横方向の力の作用を用いることにより、磁気素子を分離するには、力はあまり必要とされない。更に横方向の変位は、磁気素子１０２、１０４のうちの１つを垂直運動で移動することのみを必要とし得るので、複数の磁気素子のいずれかをコンポーネント内の磁力に平行な運動で移動する必要がないことにより、空間が省かれ得る。更に、機構を電気的または物理的に操作することにより実現される、複数の磁気素子のうちの１または複数の極性の再構成により、吸引力を斥力に転換し得る。そのような斥力は、磁気素子１０２、１０４のうちの１つを図２の他のものに対して回転させることにより生成され得る。
【００４１】
図２は、複数の磁気極性の操作により低減され、および／または逆にされる、コンピューティングデバイスの２つの磁気素子間の磁力を図示するブロック図である。図２は、コンポーネントの３つのペアを含む。第１のペアはコンポーネント１０６Ｃおよびコンポーネント１０８Ｃを含み、第２のペアはコンポーネント１０６Ｄおよびコンポーネント１０８Ｄを含み、第３のペアはコンポーネント１０６Ｅおよびコンポーネント１０８Ｅを含む。第１のペアと第２のペアのとの間の移行は、矢印２０２により示され、第２のペアと第３のペアとの間の移行は、矢印２０４により示される。また、コンピューティング要素は、第１のコンポーネント１０６Ｃ、１０６Ｄ、１０６Ｅと統合された第１の磁気素子１０２を含み得、第２の磁気素子１０４は、コンピューティングデバイスの第２のコンポーネント１０８Ｃ、１０８Ｄ、１０８Ｅと統合され得る。磁力１１０、２０６は、磁気素子１０２と磁気素子１０４との間に存在し得る。
【００４２】
図２に図示されるように、統合された複数の磁気素子１０４のうちの１つは、矢印２０８、２１０により破線で示される中心軸の周囲で回転され得る。図２の例において、第２の磁気素子１０４は、北（「プラス」の符号で示される）がコンポーネント１０８Ｄにおいて図示の外側へと向くように中心軸の周囲で９０°回転されている。磁気素子１０４を９０°回転することにより、第１の磁気素子１０２と第２の磁気素子１０４との間の力は、コンポーネント１０６Ｄとコンポーネント１０８Ｄとの間で低減され、または除去される。従ってユーザは、コンピューティングデバイスコンポーネント１０６Ｄをコンピューティングデバイスコンポーネント１０８Ｄからより容易に離して移動することができる。いくつかの例において、回転の合計角度は、ユーザにより調整可能である場合がある。いくつかの例において、回転の合計角度は、電子機構により自動的に調整され得る。例えば、電子機構は、機械コンポーネントを移動するモータであってもよい。いくつかの例において、ロッドは、磁気素子１０４の回転変位により、磁力１１０を低減し、または逆にするように回転される磁気素子に接続され得る。いくつかの例において、ロッドは手動回転用のノブに取り付けられ得る。いくつかの例において、ロッドは電気モータに取り付けられ得る。例えば、電気モータはロッドの自動回転に用いられ得る。
【００４３】
第２の磁気素子１０４は、１０８Ｅにおける第２の磁気素子１０４の向きをもたらすべく、図２の矢印２１０により示されるように更に９０°回転されてもよい。従って、第２の磁気素子１０４が１０８Ｃにおける元の位置から合計１８０°回転されると、第２の磁気素子１０４の極性は、１０８Ｃにおける向きと逆にされる。従って、磁気素子１０２と磁気素子１０４との間の元の吸引力１１０も逆にされ、磁力２０６により示される反発磁力をもたらす。斥力２０６は、コンピューティングデバイスコンポーネント１０６Ｅおよび１０８Ｅを互いに分離するときにユーザの役に立ち得る。例えば斥力２０６は、人が片手のみを用いてコンポーネント１０６Ｅをコンポーネント１０８Ｅから分離することを可能にし得る。
【００４４】
従って磁気素子１０２、１０４に回転力を用いることにより、斥力２０６の生成をもたらし、コンピューティングコンポーネント１０６、１０８を分離するときにユーザの役に立ち得る。しかし、いくつかの例において、設計は、磁気移動を最小化し、場合によっては安定した磁界を提供することを必要とする場合がある。この場合、図３における斥力は、磁気移動を最小化し得る。
【００４５】
図３は、物理的に斥けられて２つの磁気コンポーネント間の引力を変更するコンピューティングデバイスの複数の磁気素子を図示するブロック図である。図３は、コンポーネントの２つのペアを含む。第１のペアはコンポーネント１０６Ｆおよびコンポーネント１０８Ｆを含み、第２のペアはコンポーネント１０６Ｇおよびコンポーネント１０８Ｇを含む。コンポーネント１０８Ｆおよび１０８Ｇは、機械コンポーネント３０２を含む。いくつかの例において、機械コンポーネント３０２は、磁気素子１０４を力１１０から引きつけるのに十分な力を生成することができる形状記憶合金アクチュエータであってもよい。いくつかの例において、機械コンポーネントは、複数の小さいモータ、圧電モータ、ギア、レバー、またはカムを含み得る。コンポーネントの第１のペアと第２のペアとの間の移行は、矢印３０４により示される。
【００４６】
図３の例において、機械コンポーネント３０２は、磁力の方向から磁気素子１０４を引き離すべく用いられ得る。矢印３０４により示されるように、変位した磁気素子１０４から生じる力１１０は、低減され得る。いくつかの例において、磁気素子１０４は、ユーザがコンピューティングデバイスコンポーネント１０６をコンピューティングデバイスコンポーネント１０８から容易に引き離し得るような距離だけ斥けられ得る。いくつかの例において、変位距離は、設定可能であり、または自動的に調整可能であり得る。
【００４７】
最初に磁気素子１０２、１０４を引き離すのに斥力（ｄｉｓｔｒａｃｔｉｏｎ）を用いる１つの利点は、そのような設計に伴う横方向の移動を最小化し、またはそれをなくすことである。図１の横方向変位機構とは異なり、平行力機構は、いずれの横方向の移動も必要としないであろう。しかし、平行力機構は、それ自体では図２または以下の図４Ａにおけるような斥力を生成することができない。
【００４８】
図４Ａは、電磁力により分離されるコンピューティングデバイスの複数の磁気素子を図示するブロック図である。図４Ａにおける電磁的取り付けの具体的な構成は、概ね符号４００Ａにより参照され得る。図４Ａは、コンポーネントの３つのペアを含む。第１のペアはコンポーネント１０６Ｈおよびコンポーネント１０８Ｈを含み、第２のペアはコンポーネント１０６Ｉおよび１０８Ｉを含み、第３のペアはコンポーネント１０６Ｊおよび１０８Ｊを含む。コンポーネント１０８Ｈ、１０８Ｉおよび１０８Ｊは各々、電磁石４０２を有する。第１のペアと第２のペアとの間の移行は、矢印４０４により示され、第２のペアと第３のペアとの間の移行は、矢印４０６により示される。電磁石４０２における電流の存在および相対的量は、電光記号４０８により示される。いくつかの例において、電磁石４０２は、コンピューティングデバイスコンポーネント１０６Ｉと１０６Ｊ、およびコンピューティングデバイスコンポーネント１０８Ｉと１０８Ｊとの間の磁力を一時的に調整するべく用いられ得る。電磁石４０２は磁性材料で構成され得、その結果磁気素子１０２は、磁気素子１０２のＳ極に最も近い電磁石４０２側にＮ極を生じさせる。電磁石４０２のコアは、鉄のような強磁性金属またはフェライトのようなフェリ磁性化合物等、高い透磁率の磁性材料から作製され得る。極めて近くにある反対の極は、吸引磁力１１０をもたらす。いくつかの例において、コンポーネント１０８Ｈの電磁石４０２は、導電ワイヤのコイルにより囲繞される永久磁石を含む電子永久磁石であってもよい。１０８Ｈの永久磁石４０２は、磁気素子の最も近い極に対向する反対の極を有するように配置され得る。例えば、電磁コイルへの電流の印加は、その磁界を変更することにより永久磁石の吸引力を一時的に無効化するべく用いられ得る。更により多くの電流が印加されると、電磁コイルは、磁気素子１０２を電磁石４０２から斥けるように用いられ得る。いくつかの例において、電磁石４０２は、その極を切り替えることができる電子永久磁石であってもよい。例えば電子永久磁石は、電磁石および２種材料の永久磁石の双方を含み得、電磁石により生成される磁界は、永久磁石の磁化性を変更するべく用いられる。この場合、永久磁石の磁化性は、電磁石４０２により切り替えられ得、電流の継続的な供給がなくとも極性の新しい状態にとどまる。
【００４９】
図４Ａの例において、電磁石４０２は、いずれの電光記号もないことにより示されるように、いずれの電力または電流フローもない「オフ」状態において開始し得る。電光記号４０８により示されるように、小さい電流がコンポーネント１０８Ｉにおける電磁石４０２に印加されて、電磁石４０２の周囲に磁界を生成し得る。電流はワイヤに印加され、磁気素子１０２により生成される磁界効果をオフセットする磁界を生成し得る。２つの磁界の相互作用により、電磁石４０２と磁気素子１０２との間には最小の力がもたらされ、あるいは力は全くもたらされない場合がある。次にユーザは、コンポーネント１０６Ｉをコンピューティングデバイスコンポーネント１０８Ｉから容易に引き離すことができる。
【００５０】
矢印４０６により示されるように、いくつかの例において、比較的大きな電流がコンポーネント１０８Ｊの電磁石４０２に印加され、強い磁界を生成して斥力２０６を生じさせ得る。斥力は、ユーザがコンピューティングデバイスコンポーネント１０６をコンピューティングデバイスコンポーネント１０８から引き離すのに役立ち得る。いくつかの例において、電磁石は、２種材料の永久磁石の極性を切り替えさせ得、極性の切り替えによってコンポーネント１０８Ｊに斥力２０６ももたらし得る。いくつかの例において、斥力２０６は、コンポーネント１０６Ｊおよび１０８Ｊを押して離間させ、ユーザが２つのコンポーネント１０６Ｊおよび１０８Ｊを手動で容易に分離し続けることを可能にし得る。例えば、電磁４０２の反発磁力は、１０６Ｊおよび１０８Ｊを互いに保持する磁力の合計よりも大きい斥力を生成し得る。次にユーザは、コンポーネント１０６Ｊをコンポーネント１０８Ｊから手動で分離することを終了し得る。
【００５１】
図４Ｂは、電磁力により分離されるコンピューティングデバイスの複数の磁気素子の例を図示するブロック図である。図４Ｂにおける電磁的取り付けの具体的な構成は、概ね符号４００Ｂにより参照され得る。図４Ｂに図示されるように、永久磁石４１０は、一方の磁極が左側を向き、他方の磁極が右側を向くように、横方向に向けられ得る。電磁素子４１２は、「Ｕ」字形状に形成されて永久磁石４１０の底面側の双方の端部に磁気的に取り付けられ得る。
【００５２】
例示的な磁石取り付け機構４００Ａにおけるように、電磁的取り付け機構４００Ｂの永久磁石４１０と電磁石４１２との間の力は、電流が電磁石４１２にどれだけ供給されるのかに応じて低減され、または逆にされ得る。蹄鉄または「Ｕ」字形状の設計を用いることによって、生じる磁力は永久磁石４１０のみに方向付けられ得る。電磁干渉（ＥＭＩ）は、この設計を用いても最小化され得る。空気の磁気透磁率は、電磁コアの透磁率よりも低いからである。
【００５３】
電磁石機構４００Ａ、４００Ｂの１つの利点は、磁気素子１０２、４１０または電磁石４０２、４１２に対して内部移動が必要とされないことにより小さくなった空間である。しかし、上述の例における調整機構は、コンピューティングデバイスの１つのコンポーネント１０６とコンピューティングデバイスの第２のコンポーネント１０８との間の磁力を調整するべく、別々に、または任意の組み合わせで用いられ得る。以下の例示的な複数の実施形態において、１つの機構について言及され得るが、詳述した上記の複数の調整機構の１または複数は、説明された複数の機構に加えて、またはこれらに代えて用いられ得る。
【００５４】
図５Ａは、タブレットコンポーネント１０６が取り付けられ、または取り外され得る取り付け面５０２をタブレットコンポーネント１０６およびキーボードコンポーネント１０８が有する、例示的なコンピューティングデバイスである。いくつかの例において、取り付け面５０２は、ポータブルタブレット１０６のキーボードコンポーネント１０８用のドッキングクレードルであってもよい。いくつかの例において、キーボードコンポーネント１０８は、磁力によりタブレット１０６に取り付けられるカバー１０８であってもよい。取り付け面５０２は、タブレット１０６内の１または複数の磁気素子に取り付ける１または複数の磁気素子を含み得る。いくつかの例において、タブレット１０６またはキーボードコンポーネント１０８は、コンピューティングデバイスまたはユーザの動作の向きおよび加速度を判断するべく複数のジャイロ、加速度計、または近接センサを含み得る。
【００５５】
図５Ｂは、タブレットコンポーネント１０６がキーボードコンポーネント１０８の取り付け面５０２に磁気的に取り付けられる、例示的なコンピューティングデバイスの側面斜視断面図である。タブレットコンポーネント１０６は、軸５０４を有し得、磁気素子１０２は、この周囲を自由に回転することができる。複数の実施形態において、軸５０４は、電気機械アクチュエータ（図示せず）に接続され得る。いくつかの例において、電気機械アクチュエータは、形状記憶合金アクチュエータ、モータ、サーボ、ソレノイド、またはピエゾモータであってもよい。キーボードコンポーネント１０８は、タブレット１０６の端部が回転し得る２つのローラ５０６を有し得る。
【００５６】
図５Ｂに示されるように、タブレット１０６の磁気素子１０２は、取り付け面５０２においてキーボード１０８の磁気素子１０４に磁気的に取り付けられ得る。矢印５０８により示されるように、磁気素子１０２と磁気素子１０４の間の磁力は、磁気素子１０４を磁気素子１０２から離して、磁力と平行で反対の方向に移動することにより低減され得る。例えば、リニアアクチュエータは、磁気素子１０４を磁気素子１０２から力強く分離し得る。リニアアクチュエータを用いて磁気素子１０２と磁気素子１０４との間の力を低減することにより、ユーザは、コンポーネント１０６をコンポーネント１０８からより容易に取り外すことができる。
【００５７】
複数の実施形態において、磁気取り外し可能ヒンジによる接続部は、特定の状態に必要とされる磁気負荷に応じて異なる状態で存在し得る。例えば、タブレット取り付けのための第１の状態は、５Ｉｂ−Ｆ等の強いが安全な磁力を必要とし得る。例えば、スクリーン調整およびコネクタからのトルクに抵抗する第２の状態は、２５Ｉｂ−Ｆ等の強い力であり得る。例えば第３の状態は、２Ｉｂ−Ｆ等、打ち勝つのに容易な取り外し力であってもよい。異なる複数の磁気状態は、図１〜４Ｂに詳細に検討される複数の機械または電磁機構のいずれかにより実現され得る。いくつかの例において、取り付け力および取り外し力は、複数の負荷要件に基づいて事前設定され得る。例えば、負荷要件は、取り付けられるタブレット１０６の重さであってもよい。
【００５８】
いくつかの実施形態において、リニアアクチュエータは、コンピューティングデバイスのロジックにより制御され得る。いくつかの例において、ロジックは、ハードウェアロジックで少なくとも部分的に構成され得る。例えば、リニアアクチュエータを制御するためのロジックは、タブレット１０６の電力管理ロジックに統合され得る。リニアアクチュエータは例として用いられるが、電気機械的または電磁的であるか否かにかかわらず、任意の調整機構がコンピューティングデバイスのロジックにより用いられて制御され得る。
【００５９】
いくつかの実施形態において、リニアアクチュエータは、グラフィカルユーザインタフェース（ＧＵＩ）を介して制御され得る。例えばＧＵＩスイッチは、取り付け力とより弱い取り外し力との間で複数の磁力を都合よく切り替えることに用いられ得る。ユーザがコンポーネントを取り外すことを希望する場合に、ＧＵＩスイッチは、取り外し力の状態に存在し得るように複数のロジック信号をヒンジに送信し得る。ＧＵＩスイッチは、ユーザが取り外し力に対する磁力を迅速に低くして、片手でタブレット１０６をキーボード基部１０８から分離することを可能にし得る。同様に、ＧＵＩスイッチは、ユーザが磁力を取り付け力に迅速に切り替えてタブレット１０６をキーボード基部１０８に再接続することを可能にし得る。いくつかの例において、ユーザがタブレット１０６をキーボード基部１０８から完全に取り外すと、取り付け力は、自動的に取り付け状態に戻り得る。いくつかの例において、取り付け力は、図６Ａおよび図６Ｂにおいて更に検討されるように、アレイにおける複数の磁石を位置合わせし、またはずらすことによりより弱い取り外し力へ強くされ、またはより弱い取り外し力から下げられ得る。
【００６０】
図６Ａは、複数の磁気素子の吸引力を操作する機械的機構を用いる、複数の例示的な磁石取り付け機構の断面の正面斜視図のセットである。図６Ａは、コンポーネントの２つのペアを含む。第１のペアは、コンポーネント１０６Ｋ、コンポーネント１０８Ｋ、リニアアクチュエータ６０２Ａ、および取り付け面５０２Ａを含む。コンポーネント１０６Ｋは、コンポーネント１０８Ｋの取り付け面５０２Ａにおける磁気素子１０４Ａを介してコンポーネント１０８Ｋに磁気的に接続される。第２のペアは、コンポーネント１０６Ｌ、コンポーネント１０８Ｌ、リニアアクチュエータ６０２Ｂ、および取り付け面５０２Ｂを含む。コンポーネント１０６Ｌは、コンポーネント１０８Ｌの取り付け面５０２Ｂ内の磁気素子１０４Ａを介してコンポーネント１０８Ｌに接続される。第１のペアおよび第２のペアは各々、磁気素子１０２および１０４Ａを含む。いくつかの例において、磁気素子１０４Ａ、１０４Ｂを移動するべく用いられる機械的機構は、１もしくは複数のリニアアクチュエータ６０２、または１もしくは複数の手動調整可能なノブ６０４であり得る。リニアアクチュエータ６０２Ａ、６０２Ｂを用いる例は、概ね符号６００Ａにより参照される。リニアアクチュエータ６０２Ａ、６０２Ｂは、モータの回転を線形運動に転換するモータおよび機械コンポーネントを含み得る。例えば、機械コンポーネントはネジおよびナット、ラックおよびピニオン、またはカムであってもよい。例６００Ａにおけるコンポーネントの第１のペアとコンポーネントの第２のペアとの間の移行は、矢印６０６により示される。更に、複数のコンピュータコンポーネントを取り外し、または取り付けるときに特定の磁気引力または反発力特性を制御するべく、システムは、複数の磁性コンポーネントの対称および反対の平行移動を生成する複数の実施形態から利益を得ることが期待されている。例えば、ギアまたは連携システムは、磁石の半分をある方向に移動し、磁性コンポーネントの残りを反対方向に移動するべく、リニアアクチュエータ６０２Ａ、６０２Ｂに代えて、またはこれらと組み合わせて用いられ得る。この構成は、ずらされた複数の磁石の引力をバランスさせることで、取り付けまたは取り外しを容易にするために複数のコンピュータコンポーネントを位置合わせされた状態に保持するのに役立つであろう。
【００６１】
図６Ａに示されるように、取り付け面５０２Ａは、タブレット１０６Ｋの対応する磁気素子１０２に磁気的に連結されるいくつかの磁気素子１０４Ａを含み得る。いくつかの例において、磁気素子１０４Ａは、取り付け面５０２Ａ、５０２Ｂ、５０２Ｃに沿って磁界を変更するように回転または平行移動され得るキャリッジにおいて固定され得る。いくつかの例において、取り付け面５０２Ａ、５０２Ｂは、磁気素子１０４Ａ、１０４Ｃを横方向に平行移動し得るリニアアクチュエータ６０２を含み得る。例えば、図６Ａにおいて磁気素子１０４Ａ、１０４Ｃは、矢印６０８の方向に平行移動される。図１において上述されたように、磁気素子１０４Ａを平行移動することにより、磁気素子１０２と磁気素子１０４Ａとの間に低減された磁力をもたらし得る。図６Ａに図示されるように、追加の複数の磁気素子１０４Ｃは、タブレット１０６Ｋとタブレット１０６Ｌ、およびキーボード１０８Ｋとキーボード１０８Ｌとの間に磁力の最小量を保持するべく、ヒンジ内に含まれ得る。いくつかの例において、複数の磁気素子１０４Ａは、その隣接物に対して個別または集合的に変更され、取り付け面５０２Ｂの取り付け面に沿って固有の複数の磁界プロファイルを生成し得る。複数の磁気素子１０２とより少ない複数の磁気素子１０４Ｃとの間の低減された磁力は、ユーザがコンピューティングデバイスコンポーネント１０８Ｌの取り付け面５０２Ｂからタブレットを容易に取り外すことを可能にし得る。いくつかの例において、リニアアクチュエータ６０２Ｂは、ユーザ入力に基づいて制御され、構成可能な設定を可能にし得る。例えば、ユーザは、タブレット１０６を取り付け面５０２から取り外すことをより容易にすべく、取り外し力を調整し得る。いくつかの例において、リニアアクチュエータ６０２Ｂは、取り付けるときの容易な位置合わせのために引力を増大させるべく、複数のセンサを用いて制御され得る。例えば、ユーザがタブレット１０６を取り付けていることを検出するべく、複数の近接センサが用いられ得る。次にリニアアクチュエータ６０２Ｂは、磁気素子１０２と磁気素子１０４Ａとの間の磁力を増大させて、２つのコンポーネント１０６Ｋ、１０８Ｋが引力により互いに接合することを可能にし得る。いくつかの例において、リニアアクチュエータ６０２Ａは、タブレット１０６Ｋの向きにより制御され得る。例えば、タブレット１０６Ｋの横方向の向きは、取り付けを示し得、リニアアクチュエータは、磁気素子１０２と磁気素子１０４Ａとの間に最大引力を生成するように磁気素子１０４Ａを位置付ける。タブレットをそのエッジに立てることは、取り外を示し得、従ってリニアアクチュエータは、磁気素子１０４Ａと磁気素子１０２との間の引力を最小化し、または反発力を生成して取り外しに役立つように磁気素子１０４Ａを位置付け得る。
【００６２】
リニアアクチュエータ６０２Ａ、６０２Ｂを用いることにより、様々な状況に対してカスタマイズされ、または予め構成され得る磁力の複数の自動設定を可能にする。例えば、比較的強い取り付け力および比較的弱い取り外し力が、ユーザ体験を改善するように構成され得る。しかし、そのような機構は、動作するための電力を必要とし、いくつかのアプリケーションは、任意の電力の使用を最小化することを必要し、またはそれが好ましい場合がある。電力が節約され得る場合、手動で操作される機械的機構が用いられてもよい。
【００６３】
図６Ｂは、複数の磁気素子の吸引力を操作するノブ６０４を用いる、例示的な磁石取り付け機構の断面の正面斜視図である。ノブ６０４を用いる例は、概ね符号６００Ｂにより参照される。図６Ｂは、コンポーネント１０６Ｍ、コンポーネント１０８Ｍ、およびノブ６０４、ならびに取り付け面５０２Ｃを含むコンポーネントのペアを含む。コンポーネント１０６Ｍは、コンポーネント１０８Ｍの取り付け面５０２Ｃにおける磁気素子１０４Ｂを介してコンポーネント１０８Ｍに接続される。コンポーネント１０６Ｍは、複数の磁気素子１０２を含み、コンポーネント１０８Ｍは、複数の磁気素子１０４Ｂを含む。
【００６４】
６００Ｂの例において、ノブ６０４は、磁気素子１０４Ｂに取り付けられたコンポーネントの内側スレッドに接続された外側スレッドを有するロッドに接続され得る。ノブ６０４は、手動で回され、または回転されることができる機械コンポーネントである。例えばユーザは、ノブ６０４を手動で回転させ、回転方向に応じて磁気素子１０４Ｂを左または右に平行移動し得る。
【００６５】
いくつかの実施形態において、ユーザは、取り付け面５０２Ｃのノブ６０４を回転させて、磁気素子１０４Ｂを平行移動させる機械ネジコンポーネントを回転させ得る。ユーザは、ノブ６０４を回転させることにより磁気素子１０２と磁気素子１０４Ｂとの間の力を微調整し得る。例えば、ユーザは、ノブ６０４をある方向に回転させることにより磁気取り付け力を低くし、次に最小の力でタブレット１０６Ｍをキーボード１０８Ｍの取り付け面５０２Ｃから取り外すことに移り得る。いくつかの例において、ユーザは、ノブ６０４を他の方向に回転させることにより磁気取り付け力を増大させ得る。例えば、ユーザは、コンピューティングデバイスをバックパックに格納する前に手動で磁力を増大させることを希望する場合がある。
【００６６】
分散された複数の磁気素子および取り付け機構の複数の磁気素子を平行移動し、および／または回転させる機能は、磁気引力の物理的性質から利益を得る固有の取り付けおよび／または取り外し動作を生成する機能をもたらす。いくつかの例において、あるユーザは、具体的な力の変位特性、または好ましい取り付けもしくは取り外し動作に好適な磁性コンポーネントの平行移動、斥力、および回転の具体的な複数の組み合わせを開発し得る。例えば、ユーザは、片手のみで２つの磁気素子を分離し得る。
【００６７】
図７Ａは、複数の磁気素子１０２および１０４を分離するリニアアクチュエータ６０２および面取りエッジ機構を用いる、例示的な磁石取り付け機構の断面の正面斜視図のセットである。図７Ａは、コンポーネントの２つのペアを含む。第１のペアはコンポーネント１０６Ｎおよびコンポーネント１０８Ｎを含み、第２のペアはコンポーネント１０６Ｏおよびコンポーネント１０８Ｏを含む。コンポーネント１０８Ｎ、１０８Ｏのヒンジ５０２Ｄ、５０２Ｅは、ばね負荷式キャリッジ７０２、リニアアクチュエータ６０２、および摺動面取りエッジ機構７０４に互いに保持される複数の磁気素子１０４も含む。面取りエッジ機構７０４は、２つの面取りエッジを含む。一方の面取りエッジは、ばね負荷式キャリッジ７０２に接続される。他方の面取りエッジは、リニアアクチュエータ６０２に接続される。リニアアクチュエータ６０２、ばね負荷式キャリッジ７０２、および面取りエッジ機構７０４を用いる具体的な実施形態は一般に、符号７００Ａにより参照される。
【００６８】
いくつかの例において、リニアアクチュエータ６０２は、矢印７０６により示されるように一方のエッジを他方のエッジへと押すことにより、一方の面取りエッジを他方の面取りエッジ全体にわたって摺動させ得る。矢印７０８により示されるように、面取りエッジ機構７０４における２つのエッジの相互作用により、ばね７０２に対する圧縮力を生成するが、複数の磁気素子１０４を磁気素子１０２から斥ける。従って、磁気素子１０４を磁気素子１０２から変位させる場合に、リニアアクチュエータは、磁気素子１０２と磁気素子１０４との間の磁力における低減を生じさせ得る。このように磁気素子１０２と磁気素子１０４との間の磁力を低くすることにより、リニアアクチュエータ６０２は、ユーザがタブレット１０６Ｏを取り付け面５０２Ｅから取り外すのを補助し得る。タブレットが取り外された後、複数のばね７０２は、リニアアクチュエータ７０２が面取りエッジを互いに離して摺動させるに従って、キャリッジを元の位置に再び戻すことができる。
【００６９】
いくつかの例において、磁気素子１０２および１０４を互いにより近くなるように移動することにより、リニアアクチュエータ６０２は、タブレット１０６Ｎが早期に落下することを阻止するのに役立ち得る。いくつかの例において、リニアアクチュエータ６０２は、タブレット１０６Ｎを取り付け面５０２Ｄにドッキングするときにユーザの役に立ち得る。例えば、コンピューティングデバイスがデバイスの具体的な向き等の取り付け前の条件を検出すると、リニアアクチュエータ６０２は、素子１０２と素子１０４との間の磁力を増大させ得る。
【００７０】
図７Ｂは、不良位置合わせを阻止する複数のラックおよびピニオン７１０を用いる、例示的な磁石取り付け機構の断面の正面斜視図のセットである。図７Ｂは、コンポーネントの２つのペアを含む。第１のペアはコンポーネント１０６Ｐおよびコンポーネント１０８Ｐを含み、第２のペアはコンポーネント１０６Ｑおよびコンポーネント１０８Ｑを含む。コンポーネント１０６Ｐ、１０６Ｑは、複数の磁気素子１０２を含む。コンポーネント１０８Ｐ、１０８Ｑは、ラック７１０およびピニオン７１２に連結させる複数の磁性コンポーネント１０４を含む。ラック７１０およびピニオン７１２を用いる具体的な実施形態は一般に、符号７００Ｂにより参照される。
【００７１】
図７Ｂの例において、ラック７１０およびピニオン７１２は、基部１０８Ｐ、１０８Ｑにおける磁気素子１０４を複数の反対方向に平行移動して、コンポーネント１０６Ｐ、１０６Ｑの不良位置合わせを阻止する反作用力を提供する。ピニオンギア７１２が矢印７１４の方向に回転すると、ピニオン７１２は、各々のラック７１０を矢印７１６の方向に平行移動させる。いくつかの例において、磁気素子１０４は、ラック７１０に接続され、従って矢印７１６の方向にも平行移動され得る。例７００Ｂにおいて、磁気素子１０４の全体としての位置は、どちらの方向にも平行移動しない。従って、例示的なコンポーネント１０６Ｐ、１０６Ｑは、コンポーネント１０８Ｐ、１０８Ｑに対する定位置にコンポーネント１０６Ｐ、１０６Ｑを保持するためのガイド（図示せず）をコンポーネント１０８Ｐ、１０８Ｑ上に必要としない。
【００７２】
図７Ｃは、複数の磁気素子を変位させるクランクシャフト７１６を用いる、例示的な磁石取り付け機構の断面の側面図のセットである。図７Ｃは、磁性コンポーネント１０２、１０４の２つのペアを含む。磁性コンポーネント１０４は、クランクシャフト７１６に機械的に連結される。具体的な実施形態を用いる。
【００７３】
７００Ｃの例において、クランクシャフト７１６が回転し、ピストン状の運動を生成して基部１０８Ｒにおける磁石１０４を変位させる。例えば、クランクシャフト７１６が矢印７１８の方向に回転すると、磁気素子１０４は、矢印７２０の方向に斥けられ得る。いくつかの実施形態において、機構は、複数のカムを含むシャフトを回転させるべく回転アクチュエータを用いることを伴い得る。複数のカムは、カムの半径方向の偏心により磁気素子１０４の変位をもたらす。
【００７４】
図６Ａ、６Ｂ、および７Ａ、７Ｂ、および７Ｃは、図１の平行移動１１２、１１４、および図３の斥力作用を用いる複数の調整機構を説明するが、図２の回転機構および図４Ａ、４Ｂの電磁機構も取り付け面５０２に既に説明された複数の機械的機構に加えて、またはこれに代えて用いられてもよい。更に、図１〜４Ｂの複数の調整機構のいずれも、図８Ａ〜８Ｄにおけるように第１のコンポーネント１０６を第２のコンポーネント１０８に磁気的に取り付け、もしくは取り外し、または一連の複数の離散角度により無摩擦回転移動を可能にするべく、下記の複数の無摩擦回転システムと共に用いられてもよい。
【００７５】
図８Ａは、９０、１８０、および２０５°の位置における例示的なバレルヒンジ８０２Ａである。図８Ａは、６つの概観８０４Ａ、８０６Ａ、８０８Ａ、８１０Ａ、８１２Ａ、８１４Ａを含む。概観８０４Ａは、内部磁気素子１０２が可視状態であり、磁気素子８１６Ａのペアが磁気的に取り付けられた、９０°におけるバレルヒンジ８０２Ａの図である。概観８０６Ａは、９０°におけるバレルヒンジ８０２Ａの側面斜視図のクローズアップであり、内部磁気素子８１６Ａが可視状態である。概観８０８Ａは、１８０°におけるバレルヒンジ８０２Ａの図であり、取り付けられた複数の内部磁気素子８１８Ａが可視状態である。概観８１０Ａは、１８０°におけるバレルヒンジ８０２Ａの側面斜視図のクローズアップであり、複数の内部磁気素子８１８Ａが可視状態である。概観８１２Ａは、２０５°におけるバレルヒンジ８０２Ａの図であり、複数の内部磁気素子８２０Ａが可視状態である。概観８１４Ａは、２０５°におけるバレルヒンジ８０２Ａの側面斜視図のクローズアップであり、複数の内部磁気素子８２０Ａが可視状態である。概観８１６Ａ、８１８Ａ、８２０Ａに見られるように、バレルヒンジ８０２Ａは、ヒンジ８０２Ａの中心点の周囲に半径方向に配置された複数の磁気素子を含む。
【００７６】
ヒンジ８０２Ａ内の複数の磁気素子は、ヒンジの複数の磁気素子の位置における磁力により、コンピューティングデバイスのコンポーネントを引っ張り状態に保持し得る。例えば、概観８０４Ａ、８０６Ａにおいて、２つの磁気素子８１６Ａは、ヒンジ８０２Ａを９０°の角度で保持する。概観８０８Ａ、８１０Ａにおいて、２つの磁気素子８１８Ａは、ヒンジ８０２Ａを１８０°に保持する。概観８１２Ａ、８１４Ａにおいて、磁気素子８２０Ａは、ヒンジ８０２Ａを２０５°に保持する。磁気素子８１６Ａ、８１８Ａ、８２０Ａの各ペアは、ヒンジの一方の側における複数の磁気素子１０２の対応するペアにより引っ張り状態に保持される。いくつかの例において、磁気素子１０２は、単一の強磁性ストリップであってもよい。いくつかの例において、２つの磁気素子間の磁力は、調整可能であってもよい。調整可能な磁力は、複数の角度における調整に用いられる可変トルクを可能にし得る。例えばユーザは、その嗜好性に応じて複数の角度において調整するのに必要なトルクを調整し得る。従って、本明細書において説明される複数の実施形態は、無摩擦可変トルクを提供するものといい得る。
【００７７】
図８Ｂは、無摩擦回転のための例示的なバレルヒンジ８０２Ｂである。バレルヒンジ８０２Ｂは、ロッド（図示せず）を保持し、ヒンジ８０２Ｂを互いに保持する複数のループ８０４Ｂを有する２つのコンポーネントを含む。ヒンジ８０２Ｂの内側のコンポーネントは、磁気素子８０６Ｂを含む。ヒンジ８０２Ｂの外側のコンポーネントは、磁気素子８０８Ｂを含む。いくつかの例において、磁気素子８０８Ｂは、比較的安価な鋼ストリップであってもよい。いくつかの例において、磁気素子８０８Ｂは、複数の磁気素子８０６Ｂが回転して磁気的に取り付けられるときに、磁気素子８０６Ｂの横方向の配置と並ぶ磁石の対応するセットであってもよい。
【００７８】
バレルヒンジ８０２Ｂを用いる場合、コンピューティング技術および複数のコンポーネントは、ヒンジのロッドまたはバレル内に配置され得る。例えば、無線技術は、バレルヒンジ８０２Ｂ内に含まれて、ヒンジ８０２Ｂを介して接続されたコンピューティングデバイスの２つのコンポーネントの間で無線通信を可能にし得る。いくつかの場合に、バレル設計は、大きすぎると考えられる可能性があり、よりスリムな設計が用いられてもよい。
【００７９】
図８Ｃは、複数の磁気素子１０２を有するスパイン８０２Ｃを用いる、タブレット１０６の無摩擦回転および取り外しのための例示的な磁石取り付け機構である。図８Ｃにおけるヒンジの具体的な構成は、概ね符号８００Ｃにより参照され得る。
【００８０】
図８Ｃは、例示的なスパイン８０２Ｃの３つの概観８０４Ｃ、８０６Ｃ、８０８Ｃを含む。概観８０４Ｃにおいて、側面斜視図は、タブレット１０６がキーボード１０８から取り外し可能であり得ることを示す。概観８０６Ｃにおいて、スパイン８０２Ｃは、下方のキーボード１０８から切断された状態の上面図から示される。概観８０８Ｃにおいて、スパイン８０２Ｃのより大きなクローズアップ図は、スパイン８０２Ｃが中心線の周囲に半径方向に、かつスパイン８０２Ｃの長さに沿って配置された複数の磁気素子１０２を含むことを示す。
【００８１】
図８Ｃの例において、複数の磁気素子は、ヒンジの複数の磁気素子１０２の位置における磁力により、コンピューティングデバイスのタブレット１０６のコンポーネントを引っ張り状態に保持し得る。例えば、複数の磁気素子１０２は、タブレットが閉位置から９０°、１２５°、および１８０°に位置付けられて磁気的に保持され得るように、スパイン８０２Ｃ上に配置され得る。閉位置は、タブレットがキーボード１０６に対して平坦になるときである。概観８０８Ｃにおいて、例えば複数の磁気素子がヒンジの長さに沿って、半径方向に複数の異なる角度で異なる地点に配置される。以下に検討され、図８Ｄに図示されるように、複数の磁気素子１０２は、ヒンジをコンピューティングデバイスのコンポーネントに取り付けるべく、磁気素子１０４の第２のセットにも固定され得る。例えば、第２の複数の磁気素子１０２における複数の磁石は各々、別のコンピューティングデバイスコンポーネントの磁気素子１０４に対して反対の極性を有し得る。８００Ｃの例において、このコンピューティングデバイスコンポーネントは、タブレット１０６である。いくつかの例において、キーボード１０６は、スパイン８０２Ｃを表面上で回転させるローラ（図示せず）を有し得る。いくつかの例において、図１〜４Ｂにおいて説明された複数の調整機構のいずれも、タブレット１０６をキーボード１０８から取り外すのに役立つように用いられ得る。
【００８２】
スパイン８０２Ｃを用いる利点は、バレルヒンジよりも小さいバルク設計、および取り外し可能なロッドを用いる必要がないことである。しかし、いくつかの場合に、タブレット１０６上で外側に向いた磁石が全くない設計が好ましいことがある。例えば、図８Ｄは、複数の磁気素子１０２がタブレット１０６上で内側を向いた実施形態をもたらす。
【００８３】
図８Ｄは、複数の磁気素子を有するタブレットの無摩擦回転のための例示的なヒンジのない取り付けおよび取り外し機構である。図８Ｄにおけるヒンジの具体的な構成は、概ね符号８００Ｄにより参照され得る。
【００８４】
図８Ｄは、例示的なヒンジのない磁気取り付け機構の３つの概観８０４Ｄ、８０６Ｄ、８０８Ｄを含む。概観８０４Ｄにおいて、側面斜視図は、タブレット１０６がキーボード１０８から取り外し可能であり得、キーボード１０８の２つの端部で取り付けられることを示す。概観８０６Ｄにおいて、タブレット１０６は、下方のキーボード１０８から切断された状態の上部斜視図から示される。概観８０８Ｄにおいて、ヒンジのない接続部８０２Ｄのクローズアップは、接続部８０２Ｄがタブレット１０６の内側に配置された複数の磁気素子１０２を含むことを示す。磁気素子１０２のペアは、タブレット１０６の他方の取り付け側（図示せず）で磁気素子の別のペア１０２に横方向に対向し、磁気素子の別のペア１０２は、タブレット１０６の底面側で下方に向いている。
【００８５】
８００Ｄの例において、複数の磁気素子１０２は、タブレット１０６が閉位置に対して９０°、１２５°、または１８０°に保持されることを可能にし得る。ユーザが磁気取り付け軸に対してタブレット１０６を回転させると、キーボード１０８内の対応する複数の磁気素子は、タブレット１０６を磁気素子１０２に取り付け、磁気素子１０２から取り外し得る。追加の複数の磁気素子１０２は、タブレット１０６の底面側に沿って配置され得る。例えば、ヒンジのない接続部８００Ｄにおいて、タブレット１０６の底面側の磁気素子１０２は、タブレットが閉位置から１８０°の角度で保持されることを可能にし得る。いくつかの例において、キーボード１０８において複数の磁気素子１０２を対応する複数の磁気素子に取り付ける磁力は、タブレット１０６をキーボード１０８から取り外すことを可能にするべく、低減または除去され得る。いくつかの例において、タブレット１０６は、電磁石により電子的に取り外され得る。いくつかの例において、タブレット１０６は、電気機械機構により電子的に取り外され得る。
【００８６】
図８Ｅは、複数の磁気素子を有するタブレットの無摩擦回転のためのヒンジのない取り付けおよび取り外し機構において用いる例示的な金属ストリップ８０２Ｅである。図８Ｅは、４つの概観８０４Ｅ、８０６Ｅ、８０８Ｅ、および８１０Ｅを含む。概観８０４Ｅにおいて、正面斜視図は、基部１０８へと埋め込まれた金属ストリップを示す。概観８０６Ｅにおいて、側面斜視図は、磁気素子１０２に取り付けられる金属ストリップ８０２Ｅを示す。概観８０８Ｅにおいて、上部斜視図は、コンピューティングデバイスコンポーネント１０８から取り外されるコンピューティングデバイスコンポーネント１０６を示す。概観８１０Ｅにおいて、クローズアップは、コンポーネント１０６をコンピューティングデバイスのコンポーネント１０８に取り付けるべく金属ストリップ８０２Ｅを用いる磁気ヒンジ８００Ｃを示す。
【００８７】
８００Ｅの例において、金属ストリップ８０２Ｅは、タブレット１０６が基部１０８に対して複数の異なる角度で保持されることを可能にし得る。例えば、タブレット１０６は、閉位置に対して９０°、１２５°、または１８０°で保持され得る。ユーザが磁気取り付け軸に対してタブレット１０６を回転させると、基部１０８内の金属ストリップ８０２Ｅは、タブレット１０６を磁気素子１０２に取り付け、磁気素子１０２から取り外し得る。いくつかの例において、キーボード１０８において複数の磁気素子１０２を対応する複数の磁気素子に取り付ける磁力は、タブレット１０６をキーボード１０８から取り外すことを可能にするべく、低減または除去され得る。いくつかの例において、タブレット１０６は、磁気素子１０２の磁力を無効にする電磁石より電子的に取り外され得る。いくつかの例において、タブレット１０６は、電気機械機構により電子的に取り外され得る。
【００８８】
本明細書に説明される複数の実施形態から、様々利点が享受され得る。無摩擦ヒンジには、角度を確立する際の接触および磨滅がないので、ヒンジは、経時的に摩耗したり、消滅したりしない。更に、角度間隔および調整は、一定のままである。例えば、軽く突いても、角度間隔を９０°から９２°に変化させることはないであろう。他の利点は、ヒンジを作製するのにより少ない部品を用い、製造における時間および取り組みにおいて対応する節約を行うことから生じる。寸法における効率性は、より広い空間を他の複数の目的に使用し得るという利点を提供する。この空間は、追加の複数の機能およびコンポーネントを収納するべく用いられ得る。例えば、無線または光信号を用いる複数の無線技術が組み込まれ、複数の離散角度およびヒンジの端部への一定の接点を用いて適切に位置合わせされ得る。いくつかの例において、タブレット１０６は、そのような複数の無線技術によりキーボード１０８と通信し得る。更に、無摩擦可変トルクは、リアルタイムでユーザまたは相手先ブランド製造者（ＯＥＭ）によりカスタマイズ可能であり得る。取り外しの容易さが、ユーザがコンポーネントを取り外したり、磁気ヒンジに取り付けたりするのに役立ち得るカスタマイズ可能な磁力から生じる他の利点である。いくつかの例において、以下に検討されるように、カスタマイズ可能な磁力は、ユーザにより、ＧＵＩを介して、または内部コンピューティングデバイスのロジックを介して自動的に複数の異なる状態に切り替えられ得る。
【００８９】
更に、キーボード１０８における対応する複数の素子に対する素子１０２の取り付け力および取り外し力、またはコンポーネント１０６をコンポーネント１０８に取り付け、コンポーネント１０８から取り外すことは、上記でより詳細に検討された図１〜４Ｂの複数の磁気調整機構のいずれによっても調整され得る。例えば、磁気素子１０２の平行移動は、ユーザが１２５°等のある離散角度から９０°等の別の離散角度へとタブレット１０６を調整することを可能にするべく用いられ得る。更に、図１〜４Ｂの磁気調整機構は、以下の図９〜１１においてより詳細に検討されるように、タブレット１０６をキーボード１０８に対して閉位置に保持するべく用いられ得る。
【００９０】
図９は、複数の磁気素子に適用される摺動変位機構を有する例示的なコンピューティングデバイスの側面斜視図である。コンピューティングデバイス９００は、蓋９０２のような第１のコンポーネントと、基部９０４のような第２のコンポーネントを含む。コンピューティングデバイス９００は、図９に図示されるように、ボタン９０６のような変位機構も含み得る。複数の実施形態において、コンピューティングデバイス９００は、ヒンジ９０８を含む。ヒンジ９０８は、基部９０４に対する蓋９０２の回転移動を可能にし得る。図９、図１０、および図１１は、蓋および基部を有するラップトップコンピュータを図示するが、本明細書に説明される複数の技術は、複数の他のタイプのコンピューティングデバイスおよび他のタイプのコンピューティングデバイスコンポーネントで実装されてもよい。
【００９１】
図１０は、コンピューティングデバイスの蓋を開けるべく複数の磁気素子に適用される摺動変位機構を有する例示的なコンピューティングデバイスの側面斜視図である。ボタン９０６は、矢印１００２により示されるように移動可能であり得る。ボタン９０６は、図１０に図示されるように、蓋９０２が開くことを可能にし得る。複数の実施形態において、コンピューティングデバイス９００は、スプリングバックを示し得る。スプリングバックは、ヒンジ９０８における摩擦力であり得、ボタンが１００２において移動されると、蓋が反発して少なくともわずかに開き得る。いくつかの実施形態において、スプリングバックは、蓋９０２の引っ張り力でもあり得、蓋が図９において閉じられた場合に、蓋は、蓋９０２の可撓性または曲げ可能性に起因する位置エネルギーを有し得る。いずれの実施形態においても、１００２により示されるボタン９０６の移動により、蓋９０２が基部９０４に対して開くことを可能にする。上述のように、ボタン９０６の移動により、複数の磁気素子間の摺動運動を開始し、コンピューティングデバイスの複数の磁気素子間における磁力の低減または除去を生じさせる。
【００９２】
複数の実施形態において、複数の磁気素子を別々に移動させるのに必要とされる力は、等式１により示される。
【数１】
2018142328.tif 000003
【００９３】
等式１において、適用される力は「Ｆ」により表され、式中、μは複数の磁気素子のうちの１つを移動させる摩擦係数であり、「Ｐ」は複数の磁気素子間の磁力であり、「Ｓｐｒｉｎｇ」は、機構が変位された後に、機構を特定の実装におけるその元の位置に戻すのに必要とされる力である。いくつかの実施形態において、複数の磁気素子を別々に移動させるのに必要とされる力は、移動に対する磁気抵抗、コンピューティングデバイスの複数の磁気素子および他の金属部品との間に生じる磁力等、更なる複数の要因を含み得る。いくつかの実施形態において、複数の磁気素子を移動する際の摩擦を低減するべく、複数の材料が用いられ得る。例えば、複数の磁気素子間の摩擦を低減するべく、複数の磁気素子間にプラスチック材料が用いられてもよい。
【００９４】
図１１は、コンピューティングデバイスの蓋を開けるべく複数の磁気素子に適用される例示的な摺動変位機構の断面の側面斜視図である。コンピューティングデバイスの断面１１００は、図１を参照した上述の第１の磁気コンポーネント１０２および第２の磁気コンポーネント１０４のような第１の磁気コンポーネントおよび第２の磁気コンポーネントを図示する。第１の磁気コンポーネント１０２は、コンピューティングデバイス９００の蓋９０２の内部に配置されてもよく、第２の磁気コンポーネント１０４は、コンピューティングデバイス９００の基部９０４に配置されてもよい。複数の実施形態において、コンピューティングデバイスは、ボタン９０６等の変位機構を含み得る。矢印１００２により示されるように、ボタン９０６が矢印１００２の方向に移動されるときに、第１の磁気コンポーネント１０２と第２の磁気コンポーネント１０４との間に変位力がもたらされ得る。上述のように、磁性コンポーネント１０２と磁性コンポーネント１０４との間に変位をもたらすことにより、磁性コンポーネント１０２と磁性コンポーネント１０４との間の磁力を最終的に低減し得、蓋９０２は、基部９０４に対して反発することができる。図１１は変位機構をボタンとして図示するが、他の複数の機構が可能であり得る。例えば、変位機構は、ユーザが磁性コンポーネント１０２、１０４のうちの１または複数を横方向に、かつコンピューティングデバイス９００のエッジに平行に移動させることを可能にするように構成されたスクロール機構であってもよい。
【００９５】
既に検討されたように、横方向変位機構の利点は、直交方向において空間を省き、および／またはより好ましい力の変位特性をもたらすことを伴い得る。しかし、図５Ａ〜１１における上記の複数の磁気取り付け機構のいずれも、磁力がユーザの嗜好性に対して適合可能であるように構成され得る。いくつかの例において、ユーザは、調整機構の構成により磁力を手動で調整することができ得る。いくつかの例において、調整機構は、図１３においてより詳細に説明されるように、ユーザの使用に対して磁気素子１０２と磁気素子１０４との間の磁力を自動的に調整する自動調整機能を含む。これらの例において、電気機械または電磁の機構は、以下により詳細に検討される自動化を可能にすることが好ましい場合がある。
【００９６】
図１２は、コンピューティングデバイスの変位機構を形成する方法を図示するブロック図である。方法１２００は、ブロック１２０２において、コンピューティングデバイスの第１の磁気素子と第２の磁気素子との間に適用される力を加えるコンピューティングデバイスの変位機構を形成する段階を含む。第１の磁気素子は、第１の磁気素子と第２の磁気素子との間の磁力により、第２の磁気素子に対する引っ張り状態に保持される。
【００９７】
方法１２００は、複数の更なる実施形態を含み得る。いくつかの実施形態において、方法１２００は、ブロック１２０４において、コンピューティングデバイスの第１のコンポーネント内に第１の磁気素子を形成する段階を含み得る。例えば、第１の磁気素子は、ラップトップのようなコンピューティングデバイスの蓋に配置されるように形成され得る。複数の実施形態において、方法１２００は、ブロック１２０６において、コンピューティングデバイスの第２のコンポーネント内に第２の磁気素子を形成する段階を含み得る。例えば、第２の磁気素子は、コンピューティングデバイスの基部に配置されるように形成され得る。いずれかの実施形態において、第１の磁気素子および第２の磁気素子は、磁力により引っ張り状態に保持され、変位機構によりいずれかの磁気素子に適用される力によって分離可能である。上述のように、変位機構は一実施形態において、力をもたらすべく摺動可能に係合されるボタンであり得る。いくつかの実施形態において、複数の磁気素子の双方が磁石である。しかし、他の実施形態において、複数の磁気素子のうちの１つが磁石であるが、他の磁気素子は、鋼等の強磁性材料、またはフェリ磁性材料であるが、磁石ではない。なおも別の実施形態において、複数の磁気素子の双方が磁石であり、複数の磁気素子のうちの１または複数は、金属補強板を含み得る。本実施形態において、金属補強板は、他の実施形態に対して複数の磁気コンポーネント間の磁力を増大させ得る。
【００９８】
図１３は、磁力を調整するコンピューティングデバイスのコンポーネントのブロック図である。例えば、コンピューティングデバイス１３００は特に、ラップトップ、ツーインワンの取り外し可能なラップトップ、タブレットコンピュータ、またはコンバーチブル型コンピュータであり得る。コンピューティングデバイス１３００は、複数の格納済み命令を実行するように構成される中央処理装置（ＣＰＵ）１３０２、およびＣＰＵ１３０２により実行可能な複数の命令を格納するメモリデバイス１３０４を含み得る。ＣＰＵは、バス１３０６によりメモリデバイス１３０４に連結され得る。更にＣＰＵ１３０２は、シングルコアプロセッサ、マルチコアプロセッサ、コンピューティングクラスタ、または任意の数の他の構成であり得る。更にコンピューティングデバイス１３００は、２つ以上のＣＰＵ１３０２を含み得る。メモリデバイス１３０４は、ランダムアクセスメモリ（ＲＡＭ）、リードオンリメモリ（ＲＯＭ）、フラッシュメモリ、またはその他の好適なメモリシステムを含み得る。例えばメモリデバイス１３０４は、ダイナミックランダムアクセスメモリ（ＤＲＡＭ）を含み得る。
【００９９】
コンピューティングデバイス１３００は、グラフィックス処理装置（ＧＰＵ）１３０８も含み得る。示されるように、ＣＰＵ１３０２は、バス１３０６を介してＧＰＵ１３０８に結合され得る。ＧＰＵ１３０８は、コンピューティングデバイス１３００内で任意の数のグラフィックスオペレーションを実行するように構成され得る。例えばＧＰＵ１３０８は、コンピューティングデバイス１３００のユーザに対して表示されるべきグラフィックス画像、グラフィックスフレーム、動画等をレンダリングまたは操作するように構成され得る。メモリデバイス１３０４は、ランダムアクセスメモリ（ＲＡＭ）、リードオンリメモリ（ＲＯＭ）、フラッシュメモリ、またはその他の好適なメモリシステムを含み得る。例えばメモリデバイス１０４は、ダイナミックランダムアクセスメモリ（ＤＲＡＭ）を含み得る。メモリデバイス１３０４は、磁気取り付け力および取り外し力を調整する複数の命令を実行するように構成されるデバイスドライバ１３１０を含み得る。デバイスドライバ１１０は、ソフトウェア、アプリケーションプログラム、アプリケーションコード等であり得る。
【０１００】
コンピューティングデバイス１３００は、磁力調整機構１３１２を含む。複数の実施形態において、磁力調整機構１３１２は、図１〜４Ｂに説明される電気機械または電磁の機構である。例えば磁力調整機構１３１２は、モータ、圧電モータ、電磁コイル、リニアアクチュエータ、形状記憶合金アクチュエータ、またはこれらの任意の組み合わせを含み得るが、これらに限定されない。磁力調整機構１３１２は、ドック１３１５においてコンピューティングデバイス１３００と別のコンピューティングコンポーネントとの間の取り付け力および取り外し力を変更するように用いられる。ドック１３１５は、コンピューティングデバイス１３００の２つのコンポーネント間の磁気取り付けの磁気ヒンジ１３１５、またはその他の調整可能点であり得る。従ってコンピューティングデバイス１３００は、１または複数の磁気素子１３１４も含む。例えば磁気素子１３１４は、磁石１１４であってもよい。いくつかの例において、磁気素子１３１４は、電磁石１３１４であってもよい。磁石１３１４は、ドック１３１５においてコンピューティングデバイス１３００とコンピューティングデバイスの別のコンポーネントとの間の磁力を増大および低減する磁力調整機構１３１２により変位され得る。いくつかの実施形態において、ドライバ１３１０は、磁力調整機構１３１２を操作して磁気素子１３１４をシフトさせるべく用いられ得る。いくつかの例において、ドライバ１３１０は、磁力調整機構１３１２を操作して電磁素子１３１４に電力供給するべく用いられ得る。例えばドライバ１３１０は、電磁素子１３１４に電源をオンにさせて、取り外すためにドック１３１５において磁力を低減し得る。更に複数の例において、磁気素子１３１４は、複数の磁気素子であってもよい。いくつかの例において、磁気素子１３１４は、磁力調整機構１３１２により調整され得るキャリッジに配置され得る。いくつかの例において、複数の磁気素子１３１４は、個別に調整可能であり得る。デバイスドライバ１１０は、磁気素子の向きもしくは磁力を数で表し、またはユーザにアクセスできる取り付けの状態を表し得る。
【０１０１】
また、ＣＰＵ１３０２は、コンピューティングデバイス１３００を１または複数のＩ／Ｏデバイス１３１８に接続するように構成された入力／出力（Ｉ／Ｏ）デバイスインターフェース１３１６に、バス１３０６を介して接続され得る。複数のＩ／Ｏデバイス１３１８としては、例えば、静電容量タッチ面、圧力センサ、加速度計、および／またはジャイロスコープが特に挙げられ得る。複数のＩ／Ｏデバイス１３１８は、コンピューティングデバイス１３００の内蔵コンポーネントであってもよく、またはコンピューティングデバイス１３００に外部接続されるデバイスであってもよい。いくつかの例において、複数の加速度計１３１８は、コンピューティングデバイスに内蔵される２またはそれより多い加速度計であってもよい。例えば、１つの加速度計が、取り外し可能なラップトップの各面に内蔵され得る。
【０１０２】
ＣＰＵ１３０２は、コンピューティングデバイス１３００をディスプレイデバイス１３２２に接続するように構成されるディスプレイインターフェース１３２０にも、バス１３０６を介してリンクされ得る。ディスプレイデバイス１３２２は、コンピューティングデバイス１３００の内蔵コンポーネントであるディスプレイスクリーンを含み得る。ディスプレイデバイス１３２２は、特にコンピューティングデバイス１３００に外部接続されるコンピュータモニタ、テレビ、またはプロジェクタも含み得る。
【０１０３】
コンピューティングデバイスは、ストレージデバイス１３２４も含む。ストレージデバイス１３２４は、ハードドライブ、光ドライブ、サムドライブ、複数のドライブのアレイ、またはこれらの任意の組み合わせ等の物理メモリである。ストレージデバイス１３２４は、遠隔のストレージドライブも含み得る。いくつかのアプリケーション１３２６は、ストレージデバイス１３２４に格納され得る。複数のアプリケーション１３２６は、取り付け力および取り外し力調整アプリケーションを含み得る。複数のアプリケーション１３２６は、磁気ヒンジ１３１５の複数の異なる角度の間でディスプレイを移動させるのに必要とされるトルクを調整するべく用いられ得る。いくつかの例において、デプスマップは、コンピューティングデバイス１３００の画像取り込み機構１３１２により取り込まれた環境から形成され得る。いくつかの例において、アプリケーション１３２６は、磁力動作の複数の異なる状態を事前設定するべく用いられ得る。
【０１０４】
いくつかの例において、ビームフォーミングは、目標とされるスピーカの方向および距離からマルチチャネルオーディオデータを取り込むべく、用いられる。また、マルチチャネルオーディオデータは、ブラインド信号源分離を用いて分離され得る。ブラインド信号源分離が実行された後、１または複数のチャネルがマルチチャネルオーディオデータから選択される場合に、ノイズキャンセルが実行され得る。更に、オートエコーキャンセルも１または複数の選択チャネルに実行され得る。
【０１０５】
コンピューティングデバイス１３００は、ネットワークインタフェースコントローラ（ＮＩＣ）１３２８も含み得る。ＮＩＣ１３２８は、バス１３０６を介してコンピューティングデバイス１３００をネットワーク１３３０に接続するように構成され得る。ネットワーク１３３０は、特にワイドエリアネットワーク（ＷＡＮ）、ローカルエリアネットワーク（ＬＡＮ）、またはインターネットであってもよい。
【０１０６】
図１３のブロック図は、コンピューティングデバイス１３００が図１３に示される複数のコンポーネントの全てを含むことを示すものとは意図されない。むしろ、コンピューティングシステム１３００は、図１３に図示されないより少ないか、または更なるコンポーネント（例えば、センサ、電力管理集積回路、追加のネットワークインタフェース等）を含み得る。コンピューティングデバイス１３００は、特定の実装の詳細に応じて図１３に示されない任意の数の追加のコンポーネントを含み得る。更に、ＣＰＵ１３０２の機能のいずれも、ハードウェアおよび／またはプロセッサに部分的に、または全体として実装され得る。例えば機能は、特定用途向け集積回路と共に、プロセッサに実装されるロジック、専用グラフィックス処理装置に実装されるロジック、またはその他のデバイスに実装され得る。
【０１０７】
図１４は、磁力を調整するコードを格納する有形機械可読媒体を示すブロック図である。有形機械可読媒体１４００は、コンピュータバス１４０４を介してプロセッサ１４０２によりアクセスされ得る。更に有形機械可読媒体１４００は、本明細書に説明される複数の方法を実行するようにプロセッサ１４０２に指示するように構成されたコードを含み得る。いくつかの実施形態において、有形機械可読媒体１４００は、非一時的であってもよい。
【０１０８】
本明細書において検討される様々なソフトウェアコンポーネントは、図１４に示されるように、１または複数の有形機械可読媒体１４００に格納され得る。例えば構成モジュール１４０６は、コンピューティングコンポーネントにおける磁力のカスタマイズを可能にするように構成され得る。いくつかの例において、追跡モジュール１４０６は、ユーザがＧＵＩを介して磁気の取り付け力および取り外し力を変更することを可能にし得る。いくつかの例において、追跡モジュール１４０６は、ユーザがコンピューティングコンポーネント上のボタンを介して磁気の取り付け力および取り外し力を変更することを可能にし得る。適合モジュール１４０８は、複数の感覚入力をコンピューティングコンポーネントから受信するように構成され得る。いくつかの例において、適合モジュール１４０８は、感覚入力に基づいて磁気取り付け力を調整する。例えば、感覚入力がコンピューティングデバイスの別のコンポーネントからのコンピューティングコンポーネントの不注意の、または早期の取り外しを示す場合に、適合モジュール１４０８は、取り付け力を強くし得る。例えば、コンピューティングデバイスの別のコンピューティングコンポーネントからコンピューティングコンポーネントを取り外す１または複数の失敗した試みを感覚入力が示す場合、適合モジュール１４０８は、取り外し力を弱くし得る。緊急モジュール１４１０は、特定の条件下で磁力を一時的に変更するように構成され得る。いくつかの例において、コンピューティングデバイスが落下していることを感覚入力が示す場合、緊急モジュール１４１０は、取り付け力を一時的に強くし得る。
【０１０９】
図１４のブロック図は、有形機械可読媒体１４００が図１４に示される複数のコンポーネントの全てを含むことを示すものとは意図されない。更に、有形機械可読媒体１４００は、特定の実装の詳細に応じて図１４に示されない任意の数の追加のコンポーネントを含み得る。
【０１１０】
図１５は、コンピューティングデバイスにおいて磁力を自動的に調整する方法を図示するブロック図である。方法１５００は、ブロック１５０２において、ユーザが第１の磁気素子を含む第１のコンピューティングデバイスコンポーネントを、第２の磁気素子を含む第２のコンピューティングデバイスコンポーネントから取り外すことを意図する確率が高いことを検出する段階を含み得る。第１の磁気素子は、第１の磁気素子と第２の磁気素子との間の磁力により、第２の磁気素子に対する引っ張り状態に保持される。いくつかの例において、例えばコンポーネント上のボタンのタッチにより、取り外すことを意図する確率が高いことが感知され得る。例えば、ユーザは、特定の所要時間、ボタンを押し、またはボタンを押してそのまま保持してもよい。いくつかの例において、静電容量面は、取り外すことを意図する確率が高いことをトリガし得る。例えば、静電容量タッチスクリーンまたはタブレットの背面の静電容量面を指でタッチすることにより、取り外すことを意図する確率が高いことを示し得る。いくつかの例において、取り外すことを意図する確率は、コンピューティングデバイスの特定の向きを考慮し得る。例えば、ジャイロまたは加速度計は、取り外すことを意図する確率が高いことを示すような向きの移動を検出し得る。
【０１１１】
ブロック１５０４において、方法は、コンピューティングデバイスの第１の磁気素子と第２の磁気素子との間の磁力を自動的に取り外し力まで低減する段階を含み得、第１の磁気素子は、第１の磁気素子と第２の磁気素子との間の磁力により、第２の磁気素子に対する引っ張り状態になおも保持される。取り外し力は、ユーザが第１のコンピューティングデバイスコンポーネントを第２のデバイスコンポーネントから容易に取り外すことを可能にし得る。複数の実施形態において、取り付け力は、既に上述された複数の機構のいずれかにより、取り外し力に変更され得る。いくつかの例において、取り外し力は、上記の図２および４に説明される斥力を含み得る。いくつかの例において、コンピューティングデバイス内のロジックは、ユーザがコンポーネントを取り外そうとしているとの表示を受信し得る。次にロジックは、ユーザの取り外すことを意図する確率が高いとの表示を受信すると、磁力を取り外し力に切り替えさせる。
【０１１２】
ブロック１５０６において、方法は、ユーザが第１のコンピューティングデバイスコンポーネントを第２のコンピューティングデバイスコンポーネントに取り付ける確率が高いことを検出する段階を含み得る。取り付ける確率が高いことは、例えば運動センサ、磁界センサ等により感知され得る。いくつかの例において、センサは、ユーザがコンピューティングデバイスの第１のコンポーネントをコンピューティングデバイスの第２のコンポーネントに取り付けようとしていることを示すべく、コンピューティングシステムのロジックと通信し得る。例えばセンサは、ユーザ入力を受信し、これに応じて取り付け力および取り外し力を調整するべくコンピューティングデバイスの電力管理ロジックと通信し得る。
【０１１３】
ブロック１５０８において、方法は、第１の磁気素子と第２の磁気素子との間の磁力を自動的に取り付け力まで増大させる段階を含み得る。複数の実施形態において、取り付け力は、詳述した上記の複数の機構のいずれかにより実現され得る。いくつかの例において、取り付け力は、コンピューティングシステム内のロジックにより事前設定済みの取り付け力に自動的に切り替えられ得る。いくつかの例において、事前設定済みの取り付け力は、ユーザにより構成可能であり、および／またはカスタマイズ可能であり得る。例えばユーザは、コンピューティングデバイスのオペレーティングシステムにおいて起動されるＧＵＩを用いることにより取り付け力を調整し得る。
【０１１４】
ブロック１５１０において、方法は、複数の失敗した取り外しの試みを検出する段階を含み得る。失敗した取り外しの試みは、例えば、磁界における変化、または加速度計のような移動センサにより測定される、ユーザがコンポーネントを取り外す試みであり得る。いくつかの例において、失敗した取り外しの試みを検出するべく、圧力センサまたは静電容量タッチセンサが用いられ得る。例えばセンサは、ユーザが静電容量面をタッチすることを検出し得、これは、複数の磁気素子において検出される力と組み合わされて、失敗した取り外しの試みとしてカウントしてもよい。
【０１１５】
ブロック１５１２において、方法は、磁気取り外し力を自動的に弱める段階を含み得る。複数の実施形態において、取り外し力は、予め定められた数の失敗した取り外しの試みに応答して、コンピューティングデバイスのロジックにより低減され得る。いくつかの例において、このより弱い取り外し力の設定は、将来用いるべく格納されてもよい。例えば、より弱い取り外し力は、早期の取り外しが検出されるまで恒久的に弱くされ得る。いくつかの例において、取り外し力は、ＧＵＩまたは他のインターフェースを介してユーザにより再構成され得る。例えばＧＵＩは、取り外し力を視覚的に調整し、またはリセットするべくユーザにスライドバーを提供し得る。
【０１１６】
ブロック１５１４において、方法は、早期の取り外しを検出する段階を含み得る。早期の取り外しとは、対応するユーザ動作が検出されずに、一方のコンピューティングデバイスコンポーネントが他方のものから分離することである。ユーザ動作は、静電容量タッチスクリーン、近接センサ等により検出され得る。例えば、コンピューティングデバイスは、移動する車両またはバックパック内にある場合がある。コンピューティングデバイスは、突然の動きを受け、これにより一方のコンピューティングデバイスコンポーネントを他方のコンピューティングデバイスコンポーネントから取り外させ得る。ユーザによる相互作用が全く検出されない取り外しは、早期の取り外しとしてカウントされ得る。例えば早期の取り外しは、静電容量タッチが全く検出されずに一方のコンピューティングデバイスコンポーネントが別のものから取り外されるときにカウントされ得る。いくつかの例において、緊急事態が検出され得る。例えば緊急事態は、コンピューティングデバイスが落下しているとコンピューティングデバイスの加速度計が感知する場合に存在し得る。
【０１１７】
ブロック１５１６において、方法は、取り付け力を自動的に強くする段階を含み得る。複数の実施形態において、取り付け力の設定は、早期の取り外しに応答して、コンピューティングデバイスのロジックにより増大され得る。いくつかの実施形態において、取り付け力は、早期の取り外しが検出されると、増大され得る。いくつかの実施形態において、取り付け力は、予め定められた数の早期の取り外しの後で増大され得る。いくつかの実施形態において、取り付け力は、一時的に強くされてもよい。いくつかの例において、緊急事態が検出され得、ロジックは、取り付け力の設定を一時的に強くし得る。例えば緊急事態は、コンピューティングデバイスが落下しているとコンピューティングデバイスの加速度計が感知する場合に存在し得る。加速度計から落下の表示を受信すると、ロジックは、取り付け力を一時的に増大させて、コンピューティングデバイスに対する損傷のリスクを低減し得る。
【０１１８】
方法１５００は、複数の更なる実施形態を含み得る。上記で言及されたように、デバイス内のロジックは、コンピューティングデバイスが磁力をユーザの嗜好性に適合させることも可能にし得る。いくつかの例において、このロジックは、調整機構を制御するハードウェアロジックを含み得る。例えば方法は、電力管理プロセッサに接続されたコントローラにより実装され得る。いくつかの実施形態において、コンピューティングデバイスは、失敗した複数の試みの履歴情報および早期の取り外し、ならびに他のユーザ動作を格納して分析することにより、用いられるデフォルトの取り付け力および取り外し力、または最大および最小の磁力を自動的に適合させ得る。いくつかの実施形態において、取り外し力および取り付け力を制御するロジックは、ユーザによりプログラム可能であり、および／またはカスタマイズ可能であり得る。例えばユーザは、失敗した取り外しの試み、早期の取り外し、または緊急事態に対する閾値を指定または変更し得る。また、ユーザは例えば、ＧＵＩスライドバーによりデフォルトの取り付け力または取り外し力を設定またはリセットし得る。
【０１１９】
［例１］
調整可能な磁気連結のための装置が本明細書において説明される。装置は、磁力によりコンピューティングデバイスの第２のコンポーネントにおける第２の磁気素子に連結される、コンピューティングデバイスの第１のコンポーネントにおける取り付け面の第１の磁気素子を含む。装置は、磁気取り付け力を調整する調整機構を更に含む。装置の第１の磁気素子は、磁石であり得、調整機構は、第２の磁気素子に対して第１の磁気素子を変位させることにより磁力を調整する機械コンポーネントであり得る。装置は、上部に第１の磁気素子を配置したキャリッジに連結されるコンピューティングデバイスの第１のコンポーネント内にロッドを含み得る。機械コンポーネントは、ロッドの面取りエッジにおいて受けられる面取りエッジであり得る。第１の磁気素子は、ロッドの面取りエッジへと摺動する面取りエッジの力により第２の磁気素子に対して変位され得る。機械コンポーネントは、磁界引力と位置合わせされない方向を経由して第２の磁気素子に対して第１の磁気素子を変位することにより磁力を調整するべく係合されるリニアアクチュエータであり得る。機械コンポーネントは、磁界引力と位置合わせされない方向を経由して第２の磁気素子に対して第１の磁気素子を変位させることにより磁気取り付け力を調整するべく係合される手動調整ノブを含む。装置は、機械コンポーネントを移動させるモータを含み得る。機械コンポーネントは、第２の磁気素子から第１の磁気素子を磁力と平行に変位させる形状記憶合金アクチュエータを含み得る。機械コンポーネントは、第１の磁気素子に接続されたロッドを含み得る。ロッドは、第１の磁気素子の極性の向きにより、第２の磁気素子に対して磁力を調整するべく回転され得る。第２の磁気素子は、電磁石を含み得る。調整機構は、磁気取り付け力を一時的に低減し、または逆にするべく、電磁石に電力供給し得る。第１の磁気素子は、コンピューティングコンポーネントにおける磁気の不良位置合わせの力を無効にするべく複数の反対方向に機構を介して移動し得る複数の磁気コンポーネントを含み得る。
【０１２０】
［例２］
磁気連結のためのヒンジが本明細書において説明される。ヒンジは、ヒンジの中心点の周囲に半径方向に配置された複数の磁気素子を含む。ヒンジは、コンピューティングデバイスの第１のコンポーネントに内蔵される。複数の磁気素子は、複数の磁気素子のサブセットとコンピューティングデバイスの第２のコンポーネントの磁気素子との間の磁力により、コンピューティングデバイスの第２のコンポーネントに対する第１の磁気素子の複数の角度間隔位置における引っ張り状態に第１のコンポーネントを保持し得る。ヒンジの複数の磁気素子は、ヒンジの長さに沿った異なる複数の地点に配置され得る。ヒンジの複数の磁気素子は、ヒンジの複数の端部に複数の角度間隔で配置され得る。ヒンジの複数の磁気素子は、第１の複数の磁気素子であり得、第２のコンポーネントの磁気素子は、第２のコンポーネントの第１の磁気素子であり得る。ヒンジは、第１のコンポーネントのヒンジを第２のコンポーネントに取り付ける第２の複数の磁気素子を含み得る。第２の複数の磁気素子は、各々、コンピューティングデバイスの第２のコンポーネントの第２の磁気素子に対して反対の極性を有し得る。第１のコンポーネントの第２の複数の磁気素子と第２のコンポーネントの第２の磁気素子との間の磁力は、電磁または電気機械調整機構による取り外しのために低減され得る。コンピューティングデバイスのコンポーネントは、複数の離散角度でヒンジの複数の磁気素子と第２のコンポーネントの磁気素子との間の複数の磁力により保持され得る。複数の磁力は、電気機械または電磁の機構によりカスタマイズ可能であり得る。ヒンジは、無線技術が収納され得るヒンジ内の空間も含み得る。第１のコンポーネントおよび第２のコンポーネントは、無線通信可能に連結され得る。ヒンジは、スパインを含み得、複数の磁気素子は、スパインに取り付けられる。ヒンジは、バレルを含み得、磁気素子は、バレルに取り付けられる。バレルは、取り外し可能なロッドにより第２のコンポーネントの１または複数のループに接続され得る。コンピューティングデバイスの第２のコンポーネントにおける磁気素子は、金属ストリップであり得る。
【０１２１】
［例３］
複数の磁気引っ張り力を調整するための方法が本明細書において説明される。方法は、ユーザが第１の磁気素子を含む第１のコンピューティングデバイスコンポーネントを、第２の磁気素子を含む第２のコンピューティングデバイスコンポーネントから取り外すことを意図する確率が高いことを検出する段階を含む。方法は、コンピューティングデバイスの第１の磁気素子と第２の磁気素子との間の磁力を自動的に取り外し力まで低減する段階を更に含む。第１の磁気素子は、磁力により第２の磁気素子に対する引っ張り状態に保持される。方法は、ユーザが第１のコンピューティングデバイスコンポーネントを第２のコンピューティングデバイスコンポーネントに取り付けることを意図する確率が高いことを検出する段階を含み得る。方法は、第１の磁気素子と第２の磁気素子との間の磁力を自動的に取り付け力まで増大させる段階も含み得る。方法は、複数の失敗した取り外しの試みを検出する段階を含み得る。方法は、磁気取り外し力を自動的に弱める段階を更に含み得る。方法は、早期の取り外しまたは緊急事態を検出する段階を含み得る。緊急事態は、加速度計により検出される落下であり得る。方法は、取り付け力を自動的に増大させる段階も含み得る。取り外し力および取り付け力は、ユーザによりプログラム可能であり得る。取り外し力および取り付け力は、ユーザの複数の嗜好性に自動的に適合し得る。取り外し力は、予め定められた所要時間後にリセットされて、再び取り付け力になり得る。取り付け力および取り外し力は、電力管理ロジックにより制御され得る。取り付け力および取り外し力は、ＧＵＩを介して調整可能であり得る。
【０１２２】
［例４］
複数の磁気連結力を調整するためのシステムが本明細書において説明される。システムは、コンピューティングデバイスの第１のコンポーネント内に第１の磁気素子を含む。システムは、コンピューティングデバイスの第２のコンポーネント内に第２の磁気素子を含む。第１のコンポーネントおよび第２のコンポーネントは、磁力により引っ張り状態に保持される。システムは、複数の磁気素子を分離するのに必要とされる力を調整する調整機構を更に含む。システムは、調整機構を制御するハードウェアロジックを少なくとも部分的に有するロジックを備え得る。コンピューティングデバイスの第１のコンポーネントは、軸を含み得、第１の磁気素子は、軸の周囲を自由に揺動し得る。コンピューティングデバイスの第２のコンポーネントは、少なくとも２つのローラを含み得、コンピューティングデバイスの第１のコンポーネントの磁気側は、少なくとも２つのローラ上で回転し得る。調整機構は、電磁石を含み得る。電磁石は、取り外しのためにコンピューティングデバイスの第１のコンポーネントとコンピューティングデバイスの第２のコンポーネントとの間の磁力を一時的に低減し得る。調整機構は、第１のコンポーネントと第２のコンポーネントとの間の磁力を調整するべく、第１のコンポーネントにおける第１の磁気素子を平行移動させ得るリニアアクチュエータを含み得る。調整機構は、グラフィカルユーザインタフェース（ＧＵＩ）スイッチにより制御され得る。調整機構は、磁力の複数の構成可能な状態の間で自動的に切り替わり得る。複数のコンポーネントのうちの一方は、タブレットであり得、他方のコンポーネントは、コンピューティングデバイスの基部であり得る。タブレットは、複数の磁気素子により基部に対する磁気引っ張り状態に保持され得る。また、タブレットは、基部に対して少なくとも１２０°まで曲げられ得る。第１の磁気素子は、永久磁石であり得、第２の磁気素子は、「Ｕ」字形状に形成された電磁石であり得る。調整機構は、電力管理ロジックにより制御され得る。
【０１２３】
［例５］
複数の磁気素子を変位させるための装置が本明細書において説明される。装置は、コンピューティングデバイスの第１の磁気素子と第２の磁気素子との間に適用される力を加えるためのコンピューティングデバイスの変位機構を形成することを含む。第１の磁気素子は、第１の磁気素子と第２の磁気素子との間の磁力により、第２の磁気素子に対する引っ張り状態に保持される。装置は、第１の磁気素子を収納するコンピューティングデバイスの第１のコンポーネントと、第２の磁気素子を収納するコンピューティングデバイスの第２のコンポーネントとを含み得る。第１の磁気素子および第２の磁気素子は、磁力により引っ張り状態に保持され得、変位機構により加えられる力により分離可能であり得る。複数のコンポーネントのうちの一方は、蓋であり得、他方のコンポーネントは、コンピューティングデバイスの基部であり得る。蓋は、変位機構により分離されると、反発することができる。変位機構は、力をもたらすべく摺動可能に係合されるボタンであり得る。複数の磁気素子のうちの一方は、磁石であり得、他方の磁気素子は、強磁性材料またはフェリ磁性材料で構成され得るが、磁石ではない。複数の磁気素子の双方は、磁石でもあり得る。適用される力は、磁力に対して垂直であり得る。適用される力は、磁力よりも小さくなり得る。装置は、第１の磁気素子と第２の磁気素子との間に摩擦を低減する材料を含み得る。材料は、プラスチック製であり得る。
【０１２４】
［例６］
複数の磁気素子を分離するためのシステムが本明細書において説明される。システムは、コンピューティングデバイスの第１のコンポーネント内に第１の磁気素子を含む。システムは、コンピューティングデバイスの第２のコンポーネント内に第２の磁気素子を含む。第１の磁気コンポーネントおよび第２の磁気コンポーネントは、磁力により引っ張り状態に保持される。システムは、いずれかの磁気素子に適用される力を加えて複数の磁気素子を分離するコンピューティングデバイスの変位機構を含む。変位機構は、力を加えるべく摺動可能に係合されるコンピューティングデバイスのボタンであり得る。複数の磁気素子のうちの一方は、磁石であり得、他方の磁気素子は、強磁性材料またはフェリ磁性材料で構成され得るが、磁石ではない。複数の磁気素子の双方は、磁石であり得る。加えられる力は、磁力に対して垂直になり得る。加えられる力は、磁力よりも小さくなり得る。複数のコンポーネントのうちの一方は、蓋であり得る。蓋は、変位機構により分離されると、反発することができる。他方のコンポーネントは、コンピューティングデバイスの基部であり得る。システムは、第１の磁気素子と第２の磁気素子との間に摩擦を低減する材料を含み得る。材料は、プラスチック製であり得る。コンピューティングデバイスは、ラップトップであり得る。
【０１２５】
［例７］
複数の磁気引っ張り力を調整するための少なくとも１つの有形機械可読媒体が本明細書において説明される。機械可読媒体は、コンピューティングデバイス上で実行されることに応答してコンピューティングデバイスに、ユーザが第１の磁気素子を含む第１のコンピューティングデバイスコンポーネントを、第２の磁気素子を含む第２のコンピューティングデバイスコンポーネントから取り外すことを意図する確率が高いことを検出させる、格納された複数の命令を内部に含む。また、複数の命令は、コンピューティングデバイスに、コンピューティングデバイスの第１の磁気素子と第２の磁気素子との間の磁力を自動的に取り外し力まで低減する。第１の磁気素子は、第１の磁気素子と第２の磁気素子との間の磁力により、第２の磁気素子に対する引っ張り状態に保持される。機械可読媒体は、コンピューティングデバイスに更に、ユーザが第１のコンピューティングデバイスコンポーネントを第２のコンピューティングデバイスコンポーネントに取り付けることを意図する確率が高いことを検出させる命令も含み得る。複数の命令は、コンピューティングデバイスに更に、第１の磁気素子と第２の磁気素子との間の磁力を自動的に取り付け力まで増大させ得る。機械可読媒体は、コンピューティングデバイスに更に、複数の失敗した取り外しの試みを検出させる命令を更に含み得る。複数の命令は、コンピューティングデバイスに、磁気取り外し力を自動的に弱くさせ得る。機械可読媒体は、コンピューティングデバイスに更に、早期の取り外しまたは緊急事態を検出させる命令も含み得る。複数の命令は、コンピューティングデバイスに、取り付け力を自動的に増大させ得る。取り外し力および取り付け力は、ユーザによりプログラム可能であり得る。取り外し力および取り付け力は、ユーザの複数の嗜好性に自動的に適合し得る。取り外し力は、予め定められた所要時間後にリセットされて、再び取り付け力になる。取り付け力および取り外し力は、電力管理ロジックにより制御され得る。取り付け力および取り外し力は、グラフィカルユーザインタフェース（ＧＵＩ）を介して調整可能であり得る。
【０１２６】
［例８］
調整可能な磁気連結のための装置が本明細書において説明される。装置は、磁気取り付け力により、コンピューティングデバイスの第１のコンポーネントをコンピューティングデバイスの第２のコンポーネントに磁気的に連結するための手段を含む。装置は、磁気取り付け力を調整するための手段も含む。装置は、斥力を生成するための手段を含み得る。装置は、第１のコンポーネントにおける複数の磁気の不良位置合わせの力を無効にするための手段を更に含み得る。
【０１２７】
［例９］
磁気連結のためのヒンジが本明細書において説明される。ヒンジは、磁力により、複数の角度間隔位置でコンピューティングデバイスの第１のコンポーネントをコンピューティングデバイスの第２のコンポーネントに対して保持するための手段を含む。ヒンジは、第１のコンポーネントを第２のコンポーネントに磁気的に取り付けるための手段を含み得る。ヒンジは、取り外しのために磁力を低減するための手段を含み得る。ヒンジは、第１のコンポーネントと第２のコンポーネントとの間の磁力をカスタマイズするための手段を更に含み得る。ヒンジは、第１のコンポーネントおよび第２のコンポーネントを無線で通信可能に連結するための手段も含み得る。
【０１２８】
実施形態は、実装または例である。本明細書において「実施形態」、「一実施形態」、「いくつかの実施形態」、「様々な実施形態」、または「他の複数の実施形態」に参照する場合、複数の実施形態に関して説明される本技術の具体的な機能、構造、または特性が少なくともいくつかの実施形態に含まれることを意味するが、必ずしも全ての実施形態というわけではない。「実施形態」、「一実施形態」、または「いくつかの実施形態」が様々な形で現れても、全てが同一の実施形態を必ずしも指しているわけではない。
【０１２９】
本明細書において説明され、図示される全ての構成要素、機能、構造、特性等が、特定の一実施形態または複数の実施形態に含まれている必要はない。例えば、本明細書が構成要素、機能、構造、または特性が含まれ得る（「ｍａｙ」、「ｍｉｇｈｔ」、「ｃａｎ」、または「ｃｏｕｌｄ」）ことを記載する場合、当該特定の構成要素、機能、構造、または特性は、含まれることを要求されていない。本明細書または特許請求の範囲は、１つ（「ａ」または「ａｎ」）の要素に言及する場合、複数の要素のうちの１つのみが存在することを意味するものではない。本明細書または特許請求の範囲が「追加の」要素に言及する場合、２つ以上の追加の要素が存在することを除外するものではない。
【０１３０】
いくつかの実施形態は、特定の実装を参照して説明されるが、いくつかの実施形態によれば、他の実装が可能であることに留意されたい。更に、図面に図示され、および／または本明細書に説明される回路要素または他の機能の配置および／または順序は、図示され、説明される特定の態様で配置される必要はない。いくつかの実施形態によれば、他の多くの配置が可能である。
【０１３１】
図面に示される各システムにおいて、いくつかの場合における要素は各々、表される素子が異なり、および／または類似であることを示唆するべく、同一の符号または異なる符号を有し得る。しかし、要素は異なる実装を有するに十分なほどに柔軟であり、本明細書において示され、または説明されるシステムのいくつかまたは全てと共に動作し得る。図面に示される様々な素子は、同一であるか、または異なる場合がある。どれが第１の要素と称され、どれが第２の要素と呼ばれるかは、任意である。
【０１３２】
上記の例における具体的な事柄は、１または複数の実施形態におけるいずれの箇所においても用いられ得ることを理解されたい。例えば、上記のコンピューティングデバイスの全ての任意選択の機能は、本明細書に説明される方法またはコンピュータ可読媒体のいずれかに対しても実装され得る。更に、実施形態を説明するべく、フロー図および／または状態図が本明細書において用いられる場合があるが、技術は、これらの図面または本明細書における対応する説明に限定されない。例えば、フローは、図示される各ボックスもしくは状態を通して、または本明細書に図示され、説明されるのと全く同一の順序で進む必要はない。
【０１３３】
本技術は、本明細書に列挙される具体的な詳細に限定されない。現に、本開示の利益を有する当業者は、本技術の範囲内で、前述の説明および図面から他の多くの改変が行われ得ることを理解するであろう。従って、本技術の範囲を規定するのは、任意の補正を含む以下の特許請求の範囲である。本明細書によれば、以下の各項目に記載の事項もまた開示される。
［項目１］
調整可能な磁気連結のための装置であって、
磁力によりコンピューティングデバイスの第２のコンポーネントにおける第２の磁気素子に連結される、前記コンピューティングデバイスの第１のコンポーネントにおける取り付け面の第１の磁気素子と、
磁気取り付け力を調整する調整機構とを備える、装置。
［項目２］
前記装置の前記第１の磁気素子は、磁石を有し、
前記調整機構は、前記第２の磁気素子に対して前記第１の磁気素子を変位させることにより前記磁力を調整する機械コンポーネントを有する、項目１に記載の装置。
［項目３］
上部に前記第１の磁気素子を配置したキャリッジに連結されるコンピューティングデバイスの前記第１のコンポーネント内にロッドを更に備え、
前記機械コンポーネントは、前記ロッドの面取りエッジにおいて受けられる面取りエッジを含み、
前記第１の磁気素子は、前記ロッドの前記面取りエッジへと摺動する前記面取りエッジの力により前記第２の磁気素子に対して変位される、項目２に記載の装置。
［項目４］
前記機械コンポーネントは、磁界引力と位置合わせされない方向を経由して前記第２の磁気素子に対して前記第１の磁気素子を変位することにより前記磁力を調整するべく係合されるリニアアクチュエータを含む、項目２に記載の装置。
［項目５］
前記機械コンポーネントは、磁界引力と位置合わせされない方向を経由して前記第２の磁気素子に対して前記第１の磁気素子を変位させることにより前記磁気取り付け力を調整するべく係合される手動調整ノブを含む、項目２に記載の装置。
［項目６］
前記機械コンポーネントを移動させるモータを更に備える、項目２に記載の装置。
［項目７］
前記機械コンポーネントは、前記第２の磁気素子から前記第１の磁気素子を前記磁力と平行に変位させる形状記憶合金アクチュエータを含む、項目２に記載の装置。
［項目８］
前記機械コンポーネントは、前記第１の磁気素子に接続されたロッドを含み、
前記ロッドは、前記第１の磁気素子の極性の向きにより、前記第２の磁気素子に対して前記磁力を調整するべく回転される、項目２に記載の装置。
［項目９］
前記第２の磁気素子は、電磁石を含み、
前記調整機構は、前記磁気取り付け力を一時的に低減し、または逆にするべく、前記電磁石に電力供給する、項目１に記載の装置。
［項目１０］
前記第１の磁気素子は、前記第１のコンポーネントにおける磁気の不良位置合わせの力を無効にするべく複数の反対方向に機構を介して移動する複数の磁気コンポーネントを有する、項目１、４、５、または６のいずれか１項に記載の装置。
［項目１１］
磁気連結のためのヒンジであって、
前記ヒンジの中心点の周囲に半径方向に配置された複数の磁気素子を備え、
前記ヒンジは、コンピューティングデバイスの第１のコンポーネントに内蔵され、
前記複数の磁気素子は、前記複数の磁気素子のサブセットと前記コンピューティングデバイスの第２のコンポーネントの磁気素子との間の磁力により、前記コンピューティングデバイスの前記第２のコンポーネントに対する第１の磁気素子の複数の角度間隔位置における引っ張り状態に前記第１のコンポーネントを保持する、ヒンジ。
［項目１２］
前記ヒンジの前記複数の磁気素子は、前記ヒンジの長さに沿った異なる複数の地点に配置される、項目１１に記載のヒンジ。
［項目１３］
前記ヒンジの前記複数の磁気素子は、前記ヒンジの複数の端部に複数の角度間隔で配置される、項目１１に記載のヒンジ。
［項目１４］
前記ヒンジの前記複数の磁気素子は、第１の複数の磁気素子であり、
前記第２のコンポーネントの前記磁気素子は、前記第２のコンポーネントの第１の磁気素子であり、前記第１のコンポーネントの前記ヒンジを前記第２のコンポーネントに取り付ける第２の複数の磁気素子を更に備え、
前記第２の複数の磁気素子は、各々、前記コンピューティングデバイスの前記第２のコンポーネントの第２の磁気素子に対して反対の極性を有する、項目１１〜１３のいずれか１項に記載のヒンジ。
［項目１５］
前記第１のコンポーネントの前記第２の複数の磁気素子と前記第２のコンポーネントの前記第２の磁気素子との間の磁力は、電磁または電気機械調整機構による取り外しのために低減される、項目１４に記載のヒンジ。
［項目１６］
前記コンピューティングデバイスの前記複数のコンポーネントは、複数の離散角度で前記ヒンジの前記複数の磁気素子と前記第２のコンポーネントの前記磁気素子との間の複数の磁力により保持され、
前記複数の磁力は、電気機械または電磁の機構によりカスタマイズ可能である、項目１１〜１３のいずれか１項に記載のヒンジ。
［項目１７］
無線技術が収納され得る前記ヒンジ内の空間を更に備え、
前記第１のコンポーネントおよび前記第２のコンポーネントは、無線通信可能に連結される、項目１１〜１６のいずれか１項に記載のヒンジ。
［項目１８］
前記ヒンジは、スパインを備え、
前記複数の磁気素子は、前記スパインに取り付けられる、項目１１または１２に記載のヒンジ。
［項目１９］
前記ヒンジは、バレルを備え、
前記複数の磁気素子は、前記バレルに取り付けられ、
前記バレルは、取り外し可能なロッドにより前記第２のコンポーネントの１または複数のループに接続される、項目１１または１２に記載のヒンジ。
［項目２０］
前記コンピューティングデバイスの前記第２のコンポーネントにおける前記磁気素子は、金属ストリップを含む、項目１１または１２に記載のヒンジ。
［項目２１］
複数の磁気引っ張り力を調整するための方法であって、
ユーザが第１の磁気素子を含む第１のコンピューティングデバイスコンポーネントを、第２の磁気素子を含む第２のコンピューティングデバイスコンポーネントから取り外すことを意図する確率が高いことを検出する段階と、
前記コンピューティングデバイスの前記第１の磁気素子と前記第２の磁気素子との間の磁力を自動的に取り外し力まで低減する段階とを備え、
前記第１の磁気素子は、前記磁力により前記第２の磁気素子に対する引っ張り状態に保持される、方法。
［項目２２］
ユーザが前記第１のコンピューティングデバイスコンポーネントを前記第２のコンピューティングデバイスコンポーネントに取り付けることを意図する確率が高いことを検出する段階と、
前記第１の磁気素子と前記第２の磁気素子との間の前記磁力を自動的に取り付け力まで増大させる段階とを更に備える、項目２１に記載の方法。
［項目２３］
複数の失敗した取り外しの試みを検出する段階と、
磁気取り外し力を自動的に弱くする段階とを更に備える、項目２１または２２に記載の方法。
［項目２４］
早期の取り外しまたは緊急事態を検出する段階と、
前記取り付け力を自動的に増大させる段階とを更に備える、項目２１〜２３のいずれか１項に記載の方法。
［項目２５］
前記取り外し力および前記取り付け力は、ユーザによりプログラム可能である、項目２２〜２４のいずれか１項に記載の方法。
［項目２６］
前記取り外し力および前記取り付け力は、ユーザの複数の嗜好性に自動的に適合する、項目２２〜２５のいずれか１項に記載の方法。
［項目２７］
複数の磁気連結力を調整するためのシステムであって、
コンピューティングデバイスの第１のコンポーネントにおける第１の磁気素子と、
前記コンピューティングデバイスの第２のコンポーネントにおける第２の磁気素子と、
前記第１の磁気素子および前記第２の磁気素子を分離するのに必要とされる力を調整する調整機構とを備え、
前記第１のコンポーネントおよび前記第２のコンポーネントは、磁力により引っ張り状態に保持される、システム。
［項目２８］
前記調整機構を制御するハードウェアロジックを少なくとも部分的に有するロジックを更に備える、項目２７に記載のシステム。
［項目２９］
前記コンピューティングデバイスの前記第１のコンポーネントは、軸を更に含み、前記第１の磁気素子は、前記軸の周囲を自由に揺動し、
コンピューティングデバイスの前記第２のコンポーネントは、少なくとも２つのローラを含み、
コンピューティングデバイスの前記第１のコンポーネントの磁気側は、前記少なくとも２つのローラ上で回転し得る、項目２７または２８に記載のシステム。
［項目３０］
前記調整機構は、電磁石を有し、
前記電磁石は、取り外しのために前記コンピューティングデバイスの前記第１のコンポーネントと前記コンピューティングデバイスの前記第２のコンポーネントとの間の前記磁力を一時的に低減する、項目２７または２８に記載のシステム。
［項目３１］
前記調整機構は、前記第１のコンポーネントと前記第２のコンポーネントとの間の前記磁力を調整するべく、前記第１のコンポーネントにおける前記第１の磁気素子を平行移動させるリニアアクチュエータを有する、項目２７または２８に記載のシステム。
［項目３２］
前記調整機構は、グラフィカルユーザインタフェース（ＧＵＩ）スイッチにより制御される、項目２７または２８に記載のシステム。
［項目３３］
前記調整機構は、磁力の複数の構成可能な状態の間で自動的に切り替わる、項目２７または２８に記載のシステム。
［項目３４］
前記第１のコンポーネントおよび前記第２のコンポーネントのうちの一方は、タブレットであり、
他方のコンポーネントは、前記コンピューティングデバイスの基部であり、
前記タブレットは、前記第１の磁気素子および前記第２の磁気素子により前記基部に対する磁気引っ張り状態に保持され、
前記タブレットは、前記基部に対して少なくとも１２０°まで曲げられ得る、項目２７または２８に記載のシステム。
［項目３５］
前記第１の磁気素子は、永久磁石であり、
前記第２の磁気素子は、「Ｕ」字形状に形成された電磁石である、項目３０に記載のシステム。
［項目３６］
複数の磁気素子を変位させるための装置であって、
コンピューティングデバイスの第１の磁気素子と第２の磁気素子との間に適用される力を加えるための前記コンピューティングデバイスの変位機構を備え、
前記第１の磁気素子は、前記第１の磁気素子と前記第２の磁気素子との間の磁力により前記第２の磁気素子に対する引っ張り状態に保持される、装置。
［項目３７］
前記第１の磁気素子を収納する前記コンピューティングデバイスの第１のコンポーネントと、
前記第２の磁気素子を収納する前記コンピューティングデバイスの第２のコンポーネントとを備え、
前記第１の磁気素子および前記第２の磁気素子は、前記磁力により引っ張り状態に保持され、前記変位機構により加えられる前記力により分離可能である、項目３６に記載の装置。
［項目３８］
前記複数のコンポーネントのうちの一方は、蓋であり、
他方のコンポーネントは、前記コンピューティングデバイスの基部である、項目３７に記載の装置。
［項目３９］
前記変位機構は、前記力をもたらすべく摺動可能に係合されるボタンである、項目３６〜３９のいずれか１項に記載の装置。
［項目４０］
前記複数の磁気素子のうちの一方は、磁石であり、
他方の磁気素子は、強磁性材料またはフェリ磁性材料で構成されるが、磁石ではない、項目３６〜３９のいずれか１項に記載の装置。
［項目４１］
前記複数の磁気素子の双方は、磁石である、項目３６〜４０のいずれか１項に記載の装置。
［項目４２］
適用される前記力は、前記磁力に対して垂直であり、前記磁力よりも小さい、項目３６に記載の装置。
［項目４３］
複数の磁気素子を分離するためのシステムであって、
コンピューティングデバイスの第１のコンポーネントにおける第１の磁気素子と、
前記コンピューティングデバイスの第２のコンポーネントにおける第２の磁気素子と、
いずれかの磁気素子に適用される力を加えて前記複数の磁気素子を分離する前記コンピューティングデバイスの変位機構とを備え、
前記第１の磁気コンポーネントおよび前記第２の磁気コンポーネントは、磁力により引っ張り状態に保持される、システム。
［項目４４］
前記変位機構は、前記力を加えるべく摺動可能に係合される前記コンピューティングデバイスのボタンである、項目４３に記載のシステム。
［項目４５］
前記複数の磁気素子のうちの一方は、磁石であり、
他方の磁気素子は、強磁性材料またはフェリ磁性材料で構成されるが、磁石ではない、項目４３または４４に記載のシステム。
［項目４６］
前記複数の磁気素子の双方は、磁石である、項目４３または４４に記載のシステム。
［項目４７］
前記力は、前記磁力に対して垂直であり、前記磁力よりも小さい、項目４３〜４６のいずれか１項に記載のシステム。
［項目４８］
前記複数のコンポーネントのうちの一方は、蓋であり、
他方のコンポーネントは、前記コンピューティングデバイスの基部である、項目４３〜４７のいずれか１項に記載のシステム。
［項目４９］
調整可能な磁気連結のための装置であって、
磁気取り付け力により、コンピューティングデバイスの第１のコンポーネントを前記コンピューティングデバイスの第２のコンポーネントに磁気的に連結するための手段と、
前記磁気取り付け力を調整するための手段とを備える、装置。
［項目５０］
斥力を生成するための手段を更に備える、項目４９に記載の装置。
［項目５１］
前記第１のコンポーネントにおける複数の磁気の不良位置合わせの力を無効にするための手段を更に備える、項目４９または５０に記載の装置。
［項目５２］
磁気連結のためのヒンジであって、
磁力により、複数の角度間隔位置でコンピューティングデバイスの第１のコンポーネントを前記コンピューティングデバイスの第２のコンポーネントに対して保持するための手段を備える、ヒンジ。
［項目５３］
前記第１のコンポーネントを前記第２のコンポーネントに磁気的に取り付けるための手段を更に備える、項目５２に記載のヒンジ。
［項目５４］
取り外しのために前記磁力を低減するための手段を更に備える、項目５２または５３に記載のヒンジ。
［項目５５］
前記第１のコンポーネントと前記第２のコンポーネントとの間の前記磁力をカスタマイズするための手段を更に備える、項目５２〜５４のいずれか１項に記載のヒンジ。
［項目５６］
前記第１のコンポーネントおよび前記第２のコンポーネントを無線通信可能に連結するための手段を更に備える、項目５２〜５５のいずれか１項に記載のヒンジ。
［項目５７］
複数の磁気引っ張り力を調整するための少なくとも１つの有形機械可読媒体であって、
コンピューティングデバイス上で実行されることに応答して前記コンピューティングデバイスに、
ユーザが第１の磁気素子を含む第１のコンピューティングデバイスコンポーネントを、第２の磁気素子を含む第２のコンピューティングデバイスコンポーネントから取り外すことを意図する確率が高いことを検出させ、
コンピューティングデバイスの前記第１の磁気素子と前記第２の磁気素子との間の磁力を自動的に取り外し力まで低減する、内部に格納された複数の命令を有し、
前記第１の磁気素子は、前記第１の磁気素子と前記第２の磁気素子との間の磁力により前記第２の磁気素子に対する引っ張り状態に保持される、少なくとも１つの有形機械可読媒体。
［項目５８］
前記複数の命令は、前記コンピューティングデバイスに更に、
ユーザが前記第１のコンピューティングデバイスコンポーネントを前記第２のコンピューティングデバイスコンポーネントに取り付けることを意図する確率が高いことを検出させ、
前記第１の磁気素子と前記第２の磁気素子との間の前記磁力を自動的に取り付け力まで増大させる、項目５７に記載の少なくとも１つの有形機械可読媒体。
［項目５９］
前記複数の命令は、前記コンピューティングデバイスに更に、
複数の失敗した取り外しの試みを検出させ、
前記磁気取り外し力を自動的に弱くさせる、項目５７または５８に記載の少なくとも１つの有形機械可読媒体。
［項目６０］
前記複数の命令は、前記コンピューティングデバイスに更に、
早期の取り外しまたは緊急事態を検出させ、
前記取り付け力を自動的に増大させる、項目５７〜５９のいずれか１項に記載の少なくとも１つの有形機械可読媒体。
【図１】
2018142328.tif 000004
【図２】
2018142328.tif 000005
【図３】
2018142328.tif 000006
【図４Ａ】
2018142328.tif 000007
【図４Ｂ】
2018142328.tif 000008
【図５Ａ】
2018142328.tif 000009
【図５Ｂ】
2018142328.tif 000010
【図６Ａ】
2018142328.tif 000011
【図６Ｂ】
2018142328.tif 000012
【図７Ａ】
2018142328.tif 000013
【図７Ｂ】
2018142328.tif 000014
【図７Ｃ】
2018142328.tif 000015
【図８Ａ】
2018142328.tif 000016
【図８Ｂ】
2018142328.tif 000017
【図８Ｃ】
2018142328.tif 000018
【図８Ｄ】
2018142328.tif 000019
【図８Ｅ】
2018142328.tif 000020
【図９】
2018142328.tif 000021
【図１０】
2018142328.tif 000022
【図１１】
2018142328.tif 000023
【図１２】
2018142328.tif 000024
【図１３】
2018142328.tif 000025
【図１４】
2018142328.tif 000026
【図１５】
2018142328.tif 000027
【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
無摩擦回転のためのバレルヒンジであって、
磁気取り付け力により当該バレルヒンジの第２のコンポーネントの第２の磁気素子に結合される、当該バレルヒンジの第１のコンポーネントにおける第１の磁気素子と、
前記磁気取り付け力を調整する調整機構と、
を備える、無摩擦回転のためのバレルヒンジ。
【請求項２】
前記第１の磁気素子は、当該バレルヒンジの中心点の周囲に半径方向に配置された複数の磁気素子を有する、請求項１に記載のバレルヒンジ。
【請求項３】
前記第２の磁気素子は、前記第１の磁気素子の前記複数の磁気素子が配置された長さに対応する予め定められた長さで前記第２のコンポーネントに配置された第２の複数の磁気素子を有する、請求項２に記載のバレルヒンジ。
【請求項４】
前記複数の磁気素子は、閉位置に対して９０度、１２５度、１８０度、および、２０５度の少なくとも１つで配置される、請求項２または３に記載のバレルヒンジ。
【請求項５】
前記複数の磁気素子の複数のペアが異なる複数の角度で半径方向に配置される、請求項２〜４のいずれか一項に記載のバレルヒンジ。
【請求項６】
前記調整機構は、前記複数の角度の間における調整に必要なトルクを調整するのに用いられる、請求項５に記載のバレルヒンジ。
【請求項７】
当該バレルヒンジの前記第１のコンポーネントを当該バレルヒンジの前記第２のコンポーネントに対して保持するロッドを入れるための複数のループを備える、請求項１〜６のいずれか一項に記載のバレルヒンジ。
【請求項８】
前記ロッドは、無線デバイスを有する、請求項７に記載のバレルヒンジ。
【請求項９】
前記第２の磁気素子は、強磁性ストリップを有する、請求項１〜８のいずれか一項に記載のバレルヒンジ。
【請求項１０】
無摩擦回転のためのデバイスであって、
磁気取り付け力により当該デバイスの第２のコンポーネントに結合される、当該デバイスの第１のコンポーネントと、
前記磁気取り付け力を調整する調整機構と、
を備え、
前記第１のコンポーネントは、第１の複数の磁気素子を含むスパインを有する、デバイス。
【請求項１１】
前記第１の複数の磁気素子は、前記スパインの中心点の周囲に半径方向に配置される、請求項１０に記載のデバイス。
【請求項１２】
前記第１の複数の磁気素子は、前記スパインの中心点の周囲に異なる角度で半径方向に配置される磁気素子の複数のペアを有する、請求項１０または１１に記載のデバイス。
【請求項１３】
前記第１の複数の磁気素子は、当該デバイスの閉位置に対して９０度、１２５度、１８０度、および、２０５度の少なくとも１つで配置される、請求項１０〜１２のいずれか一項に記載のデバイス。
【請求項１４】
前記スパインを回転させる複数のローラを備える、請求項１０〜１３のいずれか一項に記載のデバイス。
【請求項１５】
前記第１のコンポーネントはタブレットを有し、前記第２のコンポーネントはキーボードを有する、請求項１０〜１４のいずれか一項に記載のデバイス。
【請求項１６】
無摩擦回転のためのヒンジレスな装置であって、
磁気取り付け力により当該ヒンジレスな装置の第２のコンポーネントの第２の磁気素子に結合される、当該ヒンジレスな装置の第１のコンポーネントにおける第１の磁気素子と、
前記磁気取り付け力を調整する調整機構と、
を備えるヒンジレスな装置。
【請求項１７】
前記第１の磁気素子は、前記第１のコンポーネントの内側に配置され、前記第１のコンポーネントを前記第２のコンポーネントに磁気的に結合するための複数の反対の磁気素子を有する、請求項１６に記載のヒンジレスな装置。
【請求項１８】
前記第１の磁気素子は、前記第２のコンポーネントに対して９０度、１２５度、または、１８０度に前記第１のコンポーネントを保持するよう配置される複数の磁気素子を有する、請求項１６または１７に記載のヒンジレスな装置。
【請求項１９】
前記調整機構は電磁石を有し、
前記第１のコンポーネントは、前記電磁石により前記第２のコンポーネントから電子的に取り外される、請求項１６〜１８のいずれか一項に記載のヒンジレスな装置。
【請求項２０】
前記第２の磁気素子は、金属ストリップを有する、請求項１６〜１９のいずれか一項に記載のヒンジレスな装置。